(57)【要約】  本願は電子技術の分野に関し、タスクの切り替えにあたってユーザーの操作を減らし、人間と機械の相互作用性能を高め、ユーザーエクスペリエンスを向上させるため、タスク切り替え方法および端末を提供する。具体的な解決手段は、側縁にセンサーが設けられた端末により、側縁におけるユーザーのプレス操作に応じて、第1のインターフェースを表示するステップであって、第1のインターフェースは少なくとも1つのタスクウィンドウを含む、ステップと、側縁におけるユーザーのスライド操作を検出するステップであって、スライド操作とプレス操作は側縁から離れない指の連続操作である、ステップと、スライド操作に応じて、第1のタスクウィンドウを予め設定された方式で表示するステップであって、少なくとも1つのタスクウィンドウが複数のタスクウィンドウを含む場合、スライド操作のスライド位置が変わるにつれ、予め設定された方式で表示される第1のタスクウィンドウが複数のタスクウィンドウの中で切り替えられる、ステップと、スライド操作が終わることおよびユーザーの指が側縁から離れることを検出したことに応じて、第2のインターフェースを表示するステップであって、第2のインターフェースは、スライド操作が終わってユーザーの指が側縁から離れるときに端末によって予め設定された方式で表示される第1のタスクウィンドウに対応するタスクのインターフェースである、ステップとを含む。
2020536307.tif 000002
【特許請求の範囲】
【請求項１】
端末に適用されるタスク切り替え方法であって、前記端末の側縁にセンサーが設けられており、前記センサーは前記側縁におけるユーザーの操作を検出するように構成されており、前記方法は、
前記端末により、前記側縁における前記ユーザーのプレス操作に応じて、第1のインターフェースを表示するステップであって、前記第1のインターフェースは少なくとも1つのタスクウィンドウを含み、前記少なくとも1つのタスクウィンドウは前記端末によって最近実行されて閉じられていない少なくとも1つのタスクに対応する、ステップと、
前記端末により、前記側縁における前記ユーザーのスライド操作を検出するステップであって、前記スライド操作と前記プレス操作は前記側縁から離れない前記ユーザーの指の連続操作である、ステップと、
前記端末により、前記スライド操作に応じて、第1のタスクウィンドウを予め設定された方式で表示するステップであって、前記第1のタスクウィンドウは前記少なくとも1つのタスクウィンドウのいずれか1つであり、前記少なくとも1つのタスクウィンドウが複数のタスクウィンドウを含む場合、前記スライド操作のスライド位置が変わるにつれ、前記予め設定された方式で表示される前記第1のタスクウィンドウが前記複数のタスクウィンドウの中で切り替えられる、ステップと、
前記端末により、前記スライド操作が終わることおよび前記ユーザーの前記指が前記側縁から離れることを検出したことに応じて、第2のインターフェースを表示するステップであって、前記第2のインターフェースは、前記スライド操作が終わって前記ユーザーの前記指が前記側縁から離れるときに前記端末によって前記予め設定された方式で表示される前記第1のタスクウィンドウに対応するタスクのインターフェースである、ステップとを含む、方法。
【請求項２】
前記端末によって最近実行されて閉じられていない前記少なくとも1つのタスクは、前記端末によって最近実行されて閉じられていない少なくとも1つのアプリケーションを含み、
前記第1のタスクウィンドウは、前記端末によって最近実行されて閉じられていない前記少なくとも1つのアプリケーションのいずれか1つのタスクウィンドウであり、
前記第2のインターフェースは、前記スライド操作が終わって前記ユーザーの前記指が前記側縁から離れるときに前記端末によって前記予め設定された方式で表示される前記第1のタスクウィンドウに対応するアプリケーションのインターフェースである、請求項1に記載の方法。
【請求項３】
前記端末により、前記側縁における前記ユーザーのプレス操作に応じて、第1のインターフェースを表示する前記ステップは、
前記端末によって最近実行されて閉じられていないアプリケーションが少なくとも2つある場合、前記端末により、前記側縁における前記ユーザーの前記プレス操作に応じて、前記少なくとも2つのアプリケーションのタスクウィンドウを含む前記第1のインターフェースを表示するステップを含み、
前記第1のタスクウィンドウは、前記少なくとも2つのアプリケーションのいずれか1つのタスクウィンドウであり、前記第2のインターフェースは、前記スライド操作が終わって前記ユーザーの前記指が前記側縁から離れるときに前記端末によって前記予め設定された方式で表示される前記第1のタスクウィンドウに対応するアプリケーションのインターフェースである、請求項1に記載の方法。
【請求項４】
前記端末により、前記側縁における前記ユーザーのプレス操作に応じて、第1のインターフェースを表示する前記ステップは、
前記端末によって最近実行されて閉じられていない第1のアプリケーションのみがある場合、前記端末により、前記側縁における前記ユーザーの前記プレス操作に応じて、前記第1のアプリケーションの1つ以上のアプリケーションタスクのタスクウィンドウを含む前記第1のインターフェースを表示するステップであって、前記第1のアプリケーションは前記端末内のいずれかのアプリケーションである、ステップを含み、
前記第1のタスクウィンドウは前記第1のアプリケーションのアプリケーションタスクのタスクウィンドウであり、
前記第2のインターフェースは、前記スライド操作が終わって前記ユーザーの前記指が前記側縁から離れるときに前記端末によって前記予め設定された方式で表示される前記第1のタスクウィンドウに対応するアプリケーションタスクのインターフェースである、請求項1に記載の方法。
【請求項５】
前記端末により、前記側縁における前記ユーザーのプレス操作に応じて、第1のインターフェースを表示する前記ステップは、
前記端末が前記端末のデスクトップを現在表示している場合、前記端末により、前記側縁における前記ユーザーの前記プレス操作に応じて、前記端末によって最近実行されて閉じられていない前記少なくとも1つのアプリケーションのタスクウィンドウを含む前記第1のインターフェースを表示するステップを含み、
前記第1のタスクウィンドウは、前記端末によって最近実行されて閉じられていない前記少なくとも1つのアプリケーションの前記いずれか1つの前記タスクウィンドウであり、前記第2のインターフェースは、前記スライド操作が終わって前記ユーザーの前記指が前記側縁から離れるときに前記端末によって前記予め設定された方式で表示される前記第1のタスクウィンドウに対応する前記アプリケーションの前記インターフェースである、請求項1または2に記載の方法。
【請求項６】
前記プレス操作は、前記側縁の第1の位置における前記ユーザーのプレス操作である、請求項1、2、または5に記載の方法。
【請求項７】
前記端末により、前記側縁における前記ユーザーのプレス操作に応じて、第1のインターフェースを表示する前記ステップは、
前記プレス操作が前記側縁の第2の位置における前記ユーザーのプレス操作である場合、前記端末により、前記側縁における前記ユーザーの前記プレス操作に応じて、第2のアプリケーションのアプリケーションタスクのタスクウィンドウを含む前記第1のインターフェースを表示するステップであって、前記第2のアプリケーションは、前記端末によって最近実行されて閉じられていない前記少なくとも1つのアプリケーションが実行時間の昇順で並べられた後の最後のアプリケーションである、ステップを含み、
前記第1のタスクウィンドウは前記第2のアプリケーションのアプリケーションタスクのタスクウィンドウであり、
前記第2のインターフェースは、前記スライド操作が終わって前記ユーザーの前記指が前記側縁から離れるときに前記端末によって前記予め設定された方式で表示される前記第1のタスクウィンドウに対応するアプリケーションタスクのインターフェースである、請求項6に記載の方法。
【請求項８】
前記側縁は、前記端末の左の側縁および／または前記端末の右の側縁を含む、請求項1から7のいずれか一項に記載の方法。
【請求項９】
前記端末により、前記側縁における前記ユーザーのプレス操作に応じて、第1のインターフェースを表示する前記ステップは、
前記端末により、前記側縁の少なくとも2点における前記ユーザーのプレス操作に応じて、前記第1のインターフェースを表示するステップを含む、請求項1から8のいずれか一項に記載の方法。
【請求項１０】
端末であって、前記端末の側縁にセンサーが設けられており、前記端末は、
前記センサーを使って、前記端末の前記側縁におけるユーザーの操作を検出するように構成された検出ユニットと、
前記端末で少なくとも1つのタスクを実行するように構成された処理ユニットと、
前記検出ユニットによって検出される前記側縁における前記ユーザーのプレス操作に応じて、第1のインターフェースを表示するように構成された表示ユニットであって、前記第1のインターフェースは少なくとも1つのタスクウィンドウを含み、前記少なくとも1つのタスクウィンドウは前記処理ユニットによって最近実行されて閉じられていない少なくとも1つのタスクに対応する、表示ユニットとを含んでおり、
前記検出ユニットは、前記側縁における前記ユーザーのスライド操作を検出し、前記スライド操作と前記プレス操作は前記側縁から離れない前記ユーザーの指の連続操作である、ようにさらに構成されており、
前記表示ユニットは、前記検出ユニットによって検出される前記スライド操作に応じて、第1のタスクウィンドウを予め設定された方式で表示し、前記第1のタスクウィンドウは前記少なくとも1つのタスクウィンドウのいずれか1つであり、前記少なくとも1つのタスクウィンドウが複数のタスクウィンドウを含む場合、前記スライド操作のスライド位置が変わるにつれ、前記予め設定された方式で表示される前記第1のタスクウィンドウが前記複数のタスクウィンドウの中で切り替えられる、ようにさらに構成されており、
前記表示ユニットは、前記スライド操作が終わることおよび前記ユーザーの前記指が前記側縁から離れることを前記検出ユニットによって検出したことに応じて、第2のインターフェースを表示し、前記第2のインターフェースは、前記スライド操作が終わって前記ユーザーの前記指が前記側縁から離れるときに前記端末によって前記予め設定された方式で表示される前記第1のタスクウィンドウに対応するタスクのインターフェースである、ようにさらに構成されている、端末。
【請求項１１】
前記処理ユニットによって最近実行されて閉じられていない前記少なくとも1つのタスクは、前記端末によって最近実行されて閉じられていない少なくとも1つのアプリケーションを含み、
前記表示ユニットによって表示される前記第1のタスクウィンドウは、前記処理ユニットによって最近実行されて閉じられていない前記少なくとも1つのアプリケーションのいずれか1つのタスクウィンドウであり、
前記表示ユニットによって表示される前記第2のインターフェースは、前記スライド操作が終わって前記ユーザーの前記指が前記側縁から離れるときに前記予め設定された方式で表示される前記第1のタスクウィンドウに対応するアプリケーションのインターフェースである、請求項10に記載の端末。
【請求項１２】
前記表示ユニットは、
前記処理ユニットによって最近実行されて閉じられていないアプリケーションが少なくとも2つある場合、前記側縁における前記ユーザーの前記プレス操作に応じて、前記少なくとも2つのアプリケーションのタスクウィンドウを含む前記第1のインターフェースを表示するように具体的に構成されており、
前記第1のタスクウィンドウは、前記少なくとも2つのアプリケーションのいずれか1つのタスクウィンドウであり、前記第2のインターフェースは、前記スライド操作が終わって前記ユーザーの前記指が前記側縁から離れるときに前記表示ユニットによって前記予め設定された方式で表示される前記第1のタスクウィンドウに対応するアプリケーションのインターフェースである、請求項10に記載の端末。
【請求項１３】
前記表示ユニットは、
前記処理ユニットによって最近実行されて閉じられていないアプリケーションが第1のアプリケーションのみを含む場合、前記側縁における前記ユーザーの前記プレス操作に応じて、前記第1のアプリケーションの1つ以上のアプリケーションタスクのタスクウィンドウを含む前記第1のインターフェースを表示し、前記第1のアプリケーションは前記端末内のいずれかのアプリケーションである、ように具体的に構成されており、
前記第1のタスクウィンドウは前記第1のアプリケーションのアプリケーションタスクのタスクウィンドウであり、
前記第2のインターフェースは、前記スライド操作が終わって前記ユーザーの前記指が前記側縁から離れるときに前記表示ユニットによって前記予め設定された方式で表示される前記第1のタスクウィンドウに対応するアプリケーションタスクのインターフェースである、請求項10に記載の端末。
【請求項１４】
前記表示ユニットは、
前記表示ユニットが前記端末のデスクトップを現在表示している場合、前記側縁における前記ユーザーの前記プレス操作に応じて、前記処理ユニットによって最近実行されて閉じられていない前記少なくとも1つのアプリケーションのタスクウィンドウを含む前記第1のインターフェースを表示するように具体的に構成されており、
前記第1のタスクウィンドウは、前記端末によって最近実行されて閉じられていない前記少なくとも1つのアプリケーションの前記いずれか1つの前記タスクウィンドウであり、前記第2のインターフェースは、前記スライド操作が終わって前記ユーザーの前記指が前記側縁から離れるときに前記表示ユニットによって前記予め設定された方式で表示される前記第1のタスクウィンドウに対応する前記アプリケーションの前記インターフェースである、請求項10または11に記載の端末。
【請求項１５】
前記プレス操作は、前記側縁の第1の位置における前記ユーザーのプレス操作である、請求項10、11、または14に記載の端末。
【請求項１６】
前記表示ユニットは、
前記プレス操作が前記側縁の第2の位置における前記ユーザーのプレス操作である場合、前記側縁における前記ユーザーの前記プレス操作に応じて、第2のアプリケーションのアプリケーションタスクのタスクウィンドウを含む前記第1のインターフェースを表示し、前記第2のアプリケーションは、前記処理ユニットによって最近実行されて閉じられていない前記少なくとも1つのアプリケーションが実行時間の昇順で並べられた後の最後のアプリケーションである、ように具体的に構成されており、
前記第1のタスクウィンドウは前記第2のアプリケーションのアプリケーションタスクのタスクウィンドウであり、前記第2のインターフェースは、前記スライド操作が終わって前記ユーザーの前記指が前記側縁から離れるときに前記表示ユニットによって前記予め設定された方式で表示される前記第1のタスクウィンドウに対応するアプリケーションタスクのインターフェースである、請求項15に記載の端末。
【請求項１７】
前記側縁は、前記端末の左の側縁および／または前記端末の右の側縁を含む、請求項10から16のいずれか一項に記載の端末。
【請求項１８】
前記表示ユニットは、
前記側縁の少なくとも2点における前記ユーザーのプレス操作に応じて、前記第1のインターフェースを表示するように具体的に構成されている、請求項10から17のいずれか一項に記載の端末。
【請求項１９】
端末であって、前記端末は、プロセッサと、メモリーと、タッチスクリーンと、前記端末の側縁に設けられたセンサーとを含んでおり、前記メモリーと前記タッチスクリーンと前記センサーは前記プロセッサに結合されており、前記メモリーはコンピュータプログラムコードを記憶するように構成されており、前記コンピュータプログラムコードはコンピュータ命令を含んでおり、前記プロセッサが前記コンピュータ命令を実行すると、
前記センサーは、前記側縁におけるユーザーのプレス操作を検出するように構成されており、
前記プロセッサは、前記端末で少なくとも1つのタスクを実行し、前記少なくとも1つのタスクのデータは前記メモリーに記憶される、ようにさらに構成されており、
前記タッチスクリーンは、前記センサーによって検出される前記プレス操作に応じて、第1のインターフェースを表示し、前記第1のインターフェースは少なくとも1つのタスクウィンドウを含み、前記少なくとも1つのタスクウィンドウは前記プロセッサによって最近実行されて閉じられていない少なくとも1つのタスクに対応する、ように構成されており、
前記センサーは、前記側縁における前記ユーザーのスライド操作を検出し、前記スライド操作と前記プレス操作は前記側縁から離れない前記ユーザーの指の連続操作である、ようにさらに構成されており、
前記タッチスクリーンは、前記センサーによって検出される前記スライド操作に応じて、第1のタスクウィンドウを予め設定された方式で表示し、前記第1のタスクウィンドウは前記少なくとも1つのタスクウィンドウのいずれか1つであり、前記少なくとも1つのタスクウィンドウが複数のタスクウィンドウを含む場合、前記スライド操作のスライド位置が変わるにつれ、前記予め設定された方式で表示される前記第1のタスクウィンドウが前記複数のタスクウィンドウの中で切り替えられる、ようにさらに構成されており、
前記センサーは、前記スライド操作が終わることおよび前記ユーザーの前記指が前記側縁から離れることを検出するようにさらに構成されており、
前記タッチスクリーンは、前記スライド操作が終わることおよび前記ユーザーの前記指が前記側縁から離れることを前記センサーによって検出したことに応じて、第2のインターフェースを表示し、前記第2のインターフェースは、前記スライド操作が終わって前記ユーザーの前記指が前記側縁から離れるときに前記タッチスクリーンによって前記予め設定された方式で表示される前記第1のタスクウィンドウに対応するタスクのインターフェースである、ようにさらに構成されている、端末。
【請求項２０】
前記プロセッサによって最近実行されて閉じられていない前記少なくとも1つのタスクは、前記プロセッサによって最近実行されて閉じられていない少なくとも1つのアプリケーションを含み、
前記タッチスクリーンによって表示される前記第1のタスクウィンドウは、前記プロセッサによって最近実行されて閉じられていない前記少なくとも1つのアプリケーションのいずれか1つのタスクウィンドウであり、
前記タッチスクリーンによって表示される前記第2のインターフェースは、前記スライド操作が終わることおよび前記ユーザーの前記指が前記側縁から離れることを前記センサーが検出するときに前記タッチスクリーンによって前記予め設定された方式で表示される前記第1のタスクウィンドウに対応するアプリケーションのインターフェースである、請求項19に記載の端末。
【請求項２１】
前記タッチスクリーンは、
前記プロセッサによって最近実行されて閉じられていないアプリケーションが少なくとも2つある場合、前記センサーによって検出される前記プレス操作に応じて、前記少なくとも2つのアプリケーションのタスクウィンドウを含む前記第1のインターフェースを表示するように具体的に構成されており、
前記タッチスクリーンによって表示される前記第1のタスクウィンドウは、前記少なくとも2つのアプリケーションのいずれか1つのタスクウィンドウであり、前記タッチスクリーンによって表示される前記第2のインターフェースは、前記スライド操作が終わることおよび前記ユーザーの前記指が前記側縁から離れることを前記センサーが検出するときに前記タッチスクリーンによって前記予め設定された方式で表示される前記第1のタスクウィンドウに対応するアプリケーションのインターフェースである、請求項19に記載の端末。
【請求項２２】
前記タッチスクリーンは、
前記プロセッサによって最近実行されて閉じられていないアプリケーションが第1のアプリケーションのみを含む場合、前記センサーによって検出される前記プレス操作に応じて、前記第1のアプリケーションの1つ以上のアプリケーションタスクのタスクウィンドウを含む前記第1のインターフェースを表示し、前記第1のアプリケーションは前記端末内のいずれかのアプリケーションである、ように具体的に構成されており、
前記タッチスクリーンによって表示される前記第1のタスクウィンドウは、前記第1のアプリケーションのアプリケーションタスクのタスクウィンドウであり、前記タッチスクリーンによって表示される前記第2のインターフェースは、前記スライド操作が終わって前記ユーザーの前記指が前記側縁から離れるときに前記タッチスクリーンによって前記予め設定された方式で表示される前記第1のタスクウィンドウに対応するアプリケーションタスクのインターフェースである、請求項19に記載の端末。
【請求項２３】
前記タッチスクリーンは、
前記タッチスクリーンが前記端末のデスクトップを現在表示している場合、前記センサーによって検出される前記プレス操作に応じて、前記プロセッサによって最近実行されて閉じられていない前記少なくとも1つのアプリケーションのタスクウィンドウを含む前記第1のインターフェースを表示するように具体的に構成されており、
前記タッチスクリーンによって表示される前記第1のタスクウィンドウは、前記端末によって最近実行されて閉じられていない前記少なくとも1つのアプリケーションの前記いずれか1つの前記タスクウィンドウであり、前記タッチスクリーンによって表示される前記第2のインターフェースは、前記スライド操作が終わって前記ユーザーの前記指が前記側縁から離れるときに前記タッチスクリーンによって前記予め設定された方式で表示される前記第1のタスクウィンドウに対応する前記アプリケーションの前記インターフェースである、請求項19または20に記載の端末。
【請求項２４】
前記センサーによって検出される前記プレス操作は、前記側縁の第1の位置における前記ユーザーのプレス操作である、請求項19、20、または23に記載の端末。
【請求項２５】
前記タッチスクリーンは、
前記プレス操作が前記側縁の第2の位置における前記ユーザーのプレス操作である場合、前記センサーによって検出される前記プレス操作に応じて、第2のアプリケーションのアプリケーションタスクのタスクウィンドウを含む前記第1のインターフェースを表示し、前記第2のアプリケーションは、前記プロセッサによって最近実行されて閉じられていない前記少なくとも1つのアプリケーションが実行時間の昇順で並べられた後の最後のアプリケーションである、ように具体的に構成されており、
前記タッチスクリーンによって表示される前記第1のタスクウィンドウは、前記第2のアプリケーションのアプリケーションタスクのタスクウィンドウであり、
前記タッチスクリーンによって表示される前記第2のインターフェースは、前記スライド操作が終わって前記ユーザーの前記指が前記側縁から離れるときに前記タッチスクリーンによって前記予め設定された方式で表示される前記第1のタスクウィンドウに対応するアプリケーションタスクのインターフェースである、請求項24に記載の端末。
【請求項２６】
前記側縁は、前記端末の左の側縁および／または前記端末の右の側縁を含む、請求項19から25のいずれか一項に記載の端末。
【請求項２７】
前記タッチスクリーンは、
前記センサーによって検出される前記側縁の少なくとも2点における前記ユーザーのプレス操作に応じて、前記第1のインターフェースを表示するように具体的に構成されている、請求項19から26のいずれか一項に記載の端末。
【請求項２８】
グラフィカルユーザーインターフェースGUIであって、前記グラフィカルユーザーインターフェースは端末に記憶され、前記端末は、タッチスクリーンと、メモリーと、プロセッサと、前記端末の側縁に設けられたセンサーとを含んでおり、前記センサーは前記側縁におけるユーザーの操作を検出するように構成されており、前記プロセッサは前記メモリーに記憶された1つ以上のコンピュータプログラムを実行するように構成されており、前記グラフィカルユーザーインターフェースは、
前記側縁におけるプレス操作に応じて、前記タッチスクリーンに表示される第1のGUIであって、前記第1のGUIは第1のインターフェースを含んでおり、前記第1のインターフェースは少なくとも1つのタスクウィンドウを含み、前記少なくとも1つのタスクウィンドウは前記プロセッサによって最近実行されて閉じられていない少なくとも1つのタスクに対応する、第1のGUIと、
前記側縁におけるスライド操作に応じて前記タッチスクリーンに表示される第2のGUIであって、前記スライド操作と前記プレス操作は前記側縁から離れない前記ユーザーの指の連続操作であり、前記第2のGUIには第1のタスクウィンドウが予め設定された方式で表示され、前記第1のタスクウィンドウは前記少なくとも1つのタスクウィンドウのいずれか1つであり、前記少なくとも1つのタスクウィンドウが複数のタスクウィンドウを含む場合、前記スライド操作のスライド位置が変わるにつれ、前記第2のGUIに前記予め設定された方式で表示される前記第1のタスクウィンドウが前記複数のタスクウィンドウの中で切り替えられる、第2のGUIと、
前記スライド操作が終わって前記ユーザーの前記指が前記側縁から離れたことに応じて前記タッチスクリーンに表示される第3のGUIであって、前記第3のGUIは第2のインターフェースを含んでおり、前記第2のインターフェースは、前記スライド操作が終わって前記ユーザーの前記指が前記側縁から離れるときに前記第2のGUIに前記予め設定された方式で表示される前記第1のタスクウィンドウに対応するタスクのインターフェースである、第3のGUIとを、含む、グラフィカルユーザーインターフェースGUI。
【請求項２９】
前記第2のGUI内の前記第1のタスクウィンドウは、前記プロセッサによって最近実行されて閉じられていない少なくとも1つのアプリケーションのいずれか1つのタスクウィンドウであり、
前記第3のGUI内の前記第2のインターフェースは、前記スライド操作が終わって前記ユーザーの前記指が前記側縁から離れるときに前記第2のGUIに前記予め設定された方式で表示される前記第1のタスクウィンドウに対応するアプリケーションのインターフェースである、請求項28に記載のグラフィカルユーザーインターフェース。
【請求項３０】
前記第1のGUI内の前記第1のインターフェースは、前記プロセッサによって最近実行されて閉じられていない少なくとも2つのアプリケーションのタスクウィンドウを具体的に含んでおり、
前記第2のGUI内の前記第1のタスクウィンドウは、前記少なくとも2つのアプリケーションのいずれか1つのタスクウィンドウであり、
前記第3のGUI内の前記第2のインターフェースは、前記スライド操作が終わって前記ユーザーの前記指が前記側縁から離れるときに前記第2のGUIに前記予め設定された方式で表示される前記第1のタスクウィンドウに対応するアプリケーションのインターフェースである、請求項28に記載のグラフィカルユーザーインターフェース。
【請求項３１】
前記プロセッサによって最近実行されて閉じられていないアプリケーションが第1のアプリケーションのみを含む場合、前記第1のGUI内の前記第1のインターフェースは、具体的には、前記第1のアプリケーションの1つ以上のアプリケーションタスクのタスクウィンドウを含む前記第1のインターフェースであり、前記第1のアプリケーションは前記端末内のいずれかのアプリケーションであり、
前記第2のGUI内の前記第1のタスクウィンドウは、前記第1のアプリケーションのアプリケーションタスクのタスクウィンドウであり、
前記第3のGUI内の前記第2のインターフェースは、前記スライド操作が終わって前記ユーザーの前記指が前記側縁から離れるときに前記第2のGUIに前記予め設定された方式で表示される前記第1のタスクウィンドウに対応するアプリケーションタスクのインターフェースである、請求項28に記載のグラフィカルユーザーインターフェース。
【請求項３２】
前記タッチスクリーンが前記端末のデスクトップを表示する場合、前記側縁における前記プレス操作に応じて前記タッチスクリーンに表示される前記第1のGUI内の前記第1のインターフェースは、前記プロセッサによって最近実行されて閉じられていない前記少なくとも1つのアプリケーションのタスクウィンドウを含み、
前記第2のGUI内の前記第1のタスクウィンドウは、前記端末によって最近実行されて閉じられていない前記少なくとも1つのアプリケーションの前記いずれか1つの前記タスクウィンドウであり、
前記第3のGUI内の前記第2のインターフェースは、前記スライド操作が終わって前記ユーザーの前記指が前記側縁から離れるときに前記第2のGUIに前記予め設定された方式で表示される前記第1のタスクウィンドウに対応する前記アプリケーションの前記インターフェースである、請求項28または29に記載のグラフィカルユーザーインターフェース。
【請求項３３】
前記プレス操作は、前記側縁の第1の位置における前記ユーザーのプレス操作である、請求項28、29、または32に記載のグラフィカルユーザーインターフェース。
【請求項３４】
前記側縁の第2の位置におけるプレス操作に応じて前記タッチスクリーンに表示される前記第1のGUI内の前記第1のインターフェースは、第2のアプリケーションのアプリケーションタスクのタスクウィンドウを含み、前記第2のアプリケーションは、前記タッチスクリーンによって最近実行されて閉じられていない前記少なくとも1つのアプリケーションが実行時間の昇順で並べられた後の最後のアプリケーションであり、
前記第2のGUI内の前記第1のタスクウィンドウは、前記第2のアプリケーションのアプリケーションタスクのタスクウィンドウであり、
前記第3のGUI内の前記第2のインターフェースは、前記スライド操作が終わって前記ユーザーの前記指が前記側縁から離れるときに前記第2のGUIに前記予め設定された方式で表示される前記第1のタスクウィンドウに対応するアプリケーションタスクのインターフェースである、請求項28に記載のグラフィカルユーザーインターフェース。
【請求項３５】
コンピュータ命令を含むコンピュータ記憶媒体であって、前記コンピュータ命令が端末で実行されると、前記端末は、請求項1から9のいずれか一項に記載のタスク切り替え方法を行うことが可能となる、コンピュータ記憶媒体。
【請求項３６】
コンピュータプログラム製品であって、前記コンピュータプログラム製品がコンピュータで実行されると、前記コンピュータは、請求項1から9のいずれか一項に記載のタスク切り替え方法を行うことが可能となる、コンピュータプログラム製品。
【発明の詳細な説明】
【技術分野】
【０００１】
本願は電子技術の分野に関し、特にタスク切り替え方法および端末に関する。
【背景技術】
【０００２】
モバイル端末の普及と、モバイル端末の性能向上と、モバイル端末の記憶容量の増大に伴い、より多くのアプリケーションがモバイル端末にインストールされうる。モバイル端末は複数のアプリケーションを同時に起動しうる。モバイル端末が複数のアプリケーションの内の1つのアプリケーション（アプリケーションa）のインターフェースを現在表示しているときに、複数のアプリケーションの他のアプリケーションがモバイル端末のバックグラウンドで実行しうる。ユーザーは、モバイル端末を、複数のアプリケーションのインターフェース間で切り替わるように制御することができる。
【０００３】
例えば、モバイル端末は、Homeキーまたは戻るキーに対するユーザーのタップ操作に応じて、アプリケーションaのインターフェースから出て、モバイル端末のホームインターフェースに戻ってもよく、その後、メインデスクトップに表示されている別のアプリケーションのアイコンに対するユーザーのタップ操作に応じて、ユーザーによって選択されたアプリケーション（すなわち目標のアプリケーション）のインターフェースを表示し、アプリケーションの切り替えを実施してもよい。しかしながら、アプリケーションの切り替えを実施する操作には、例えばHomeキーか戻るキーをタップしてメインデスクトップに戻り、それからメインデスクトップで目標のアプリケーションを探すのは、複雑であり、人間と機械の相互作用性能が比較的乏しいという問題がある。
【発明の概要】
【０００４】
本願は、アプリケーションの切り替えにあたってユーザーの操作を減らし、人間と機械の相互作用性能を高め、ユーザーエクスペリエンスを向上させるため、タスク切り替え方法および端末を提供する。
【課題を解決するための手段】
【０００５】
第1の態様によると、本願はタスク切り替え方法を提供し、該方法は端末に適用でき、端末の側縁にセンサーが設けられており、センサーは側縁におけるユーザーの操作を検出するように構成されており、該方法は、端末により、側縁におけるユーザーのプレス操作に応じて、少なくとも1つのタスクウィンドウを含む第1のインターフェースを表示するステップであって、少なくとも1つのタスクウィンドウは端末によって最近実行されて閉じられていない少なくとも1つのタスクに対応する、ステップと、端末により、側縁におけるユーザーのスライド操作を検出するステップであって、スライド操作とプレス操作は側縁から離れないユーザーの指の連続操作である、ステップと、端末により、スライド操作に応じて、第1のタスクウィンドウを予め設定された方式で表示するステップであって、第1のタスクウィンドウは少なくとも1つのタスクウィンドウのいずれか1つであり、少なくとも1つのタスクウィンドウが複数のタスクウィンドウを含む場合、スライド操作のスライド位置が変わるにつれ、予め設定された方式で表示される第1のタスクウィンドウが複数のタスクウィンドウの中で切り替えられる、ステップと、端末により、スライド操作が終わることおよびユーザーの指が側縁から離れることを検出したことに応じて、第2のインターフェースを表示するステップであって、第2のインターフェースは、スライド操作が終わってユーザーの指が側縁から離れるときに端末によって予め設定された方式で表示される第1のタスクウィンドウに対応するタスクのインターフェースである、ステップとを含む。
【０００６】
本願において、端末は、側縁から離れない指の連続操作であるプレス操作とスライド操作とに応じて、「マルチタスクインターフェースを表示する」機能と「アプリケーションの切り替えを行うためマルチタスクインターフェースからタスクウィンドウを選択する」機能を実施してもよく、ユーザーは携帯電話機の異なる位置で操作を2回以上行う必要はない。本願によると、アプリケーションの切り替えにあたってユーザーの操作を減らすことができ、人間と機械の相互作用性能を高めることができ、ユーザーエクスペリエンスを向上させることができる。
【０００７】
可能な一実施形態において、端末によって最近実行されて閉じられていない少なくとも1つのタスクは、端末によって最近実行されて閉じられていない少なくとも1つのアプリケーションを含み、それに応じて、第1のタスクウィンドウは、端末によって最近実行されて閉じられていない少なくとも1つのアプリケーションのいずれか1つのタスクウィンドウであり、第2のインターフェースは、スライド操作が終わってユーザーの指が側縁から離れるときに端末によって予め設定された方式で表示される第1のタスクウィンドウに対応するアプリケーションのインターフェースである。
【０００８】
本願では、端末が、端末のデスクトップを現在表示しているか、第1のアプリケーション（すなわち、端末内のいずれかのアプリケーション）のインターフェースを現在表示しているかにかかわらず、また、端末によって最近実行されて閉じられていない1つ以上のアプリケーションにかかわらず、端末は、プレス操作に応じて、端末によって最近実行されて閉じられていない少なくとも1つのアプリケーションのタスクウィンドウを含む第1のインターフェースを表示しうる。具体的に述べると、本願において、端末は、側縁を離れない指の連続操作であるプレス操作とスライド操作とに応じて、アプリケーションの切り替えを実施しうる。これにより、アプリケーションの切り替えにあたってユーザーの操作を減らすことができ、人間と機械の相互作用性能を高めることができ、ユーザーエクスペリエンスを向上させることができる。
【０００９】
別の可能な一設計方法において、端末によって最近実行されて閉じられていないアプリケーションが少なくとも2つある場合、第1のインターフェース内の少なくとも1つのタスクウィンドウは少なくとも2つのアプリケーションのタスクウィンドウであり、あるいは端末によって最近実行されて閉じられていないアプリケーションが第1のアプリケーションのみを含む場合、第1のインターフェース内の少なくとも1つのタスクウィンドウは第1のアプリケーションのアプリケーションタスクのタスクウィンドウであり、本願における第1のアプリケーションとは、端末がプレス操作に応じるときに端末によって実行されているアプリケーションである。
【００１０】
具体的に述べると、端末により、側縁におけるユーザーのプレス操作に応じて、第1のインターフェースを表示するステップは、端末によって最近実行されて閉じられていないアプリケーションが少なくとも2つある場合、端末により、側縁におけるユーザーのプレス操作に応じて、少なくとも2つのアプリケーションのタスクウィンドウを含む第1のインターフェースを表示するステップを含んでよく、それに応じて、第1のタスクウィンドウは、少なくとも2つのアプリケーションのいずれか1つのタスクウィンドウであり、第2のインターフェースは、スライド操作が終わってユーザーの指が側縁から離れるときに端末によって予め設定された方式で表示される第1のタスクウィンドウに対応するアプリケーションのインターフェースである。
【００１１】
端末により、側縁におけるユーザーのプレス操作に応じて、第1のインターフェースを表示するステップは、端末によって最近実行されて閉じられていないアプリケーションが第1のアプリケーションのみを含む場合、端末により、側縁におけるユーザーのプレス操作に応じて、第1のアプリケーションの1つ以上のアプリケーションタスクのタスクウィンドウを含む第1のインターフェースを表示するステップであって、第1のアプリケーションは端末内のいずれかのアプリケーションである、ステップをさらに含んでよく、それに応じて、第1のタスクウィンドウは第1のアプリケーションのアプリケーションタスクのタスクウィンドウであり、第2のインターフェースは、スライド操作が終わってユーザーの指が側縁から離れるときに端末によって予め設定された方式で表示される第1のタスクウィンドウに対応するアプリケーションタスクのインターフェースである。
【００１２】
本願において、端末は、側縁を離れない指の連続操作であるプレス操作とスライド操作とに応じて、アプリケーションの切り替えを実施しうるばかりでなく、1つのアプリケーションの中で複数のアプリケーションタスクの切り替えをも実施しうる。具体的に述べると、本願によると、1つのアプリケーションのアプリケーションタスクを切り替えるユーザーの操作を減らすこともでき、人間と機械の相互作用性能を高めることができ、ユーザーエクスペリエンスを向上させることができる。
【００１３】
別の可能な一設計方法において、端末は、端末によって現在表示されているインターフェースを使用して、第1のインターフェースに複数のアプリケーションのタスクウィンドウを表示するか、それとも第1のアプリケーションの複数のアプリケーションタスクのタスクウィンドウを表示するかを判断しうる。例えば、端末が端末のデスクトップを現在表示している場合、端末は第1のインターフェースで複数のアプリケーションのタスクウィンドウを表示する。
【００１４】
具体的に述べると、端末により、側縁におけるユーザーのプレス操作に応じて、第1のインターフェースを表示するステップは、端末が端末のデスクトップを現在表示している場合、端末により、側縁におけるユーザーのプレス操作に応じて、端末によって最近実行されて閉じられていない少なくとも1つのアプリケーションのタスクウィンドウを含む第1のインターフェースを表示するステップを含んでよく、第1のタスクウィンドウは、端末によって最近実行されて閉じられていない少なくとも1つのアプリケーションのいずれか1つのタスクウィンドウであり、第2のインターフェースは、スライド操作が終わってユーザーの指が側縁から離れるときに端末によって予め設定された方式で表示される第1のタスクウィンドウに対応するアプリケーションのインターフェースである。
【００１５】
本願において、端末が端末のデスクトップを現在表示している場合、端末は側縁におけるユーザーのプレス操作に応じて、1つ以上のアプリケーションのタスクウィンドウを含む第1のインターフェースを表示してもよく、その後、端末は、スライド操作に応じて、アプリケーションの切り替えを実施してもよく、プレス操作とスライド操作は側縁から離れない指の連続操作である。具体的に述べると、本願によると、アプリケーションの切り替えにあたってユーザーの操作を減らすことができ、人間と機械の相互作用性能を高めることができ、ユーザーエクスペリエンスを向上させることができる。
【００１６】
別の可能な一設計方法において、端末は、端末の側縁におけるプレス操作の位置に基づいて、第1のインターフェースに複数のアプリケーションのタスクウィンドウを表示するか、それとも第1のアプリケーションの複数のアプリケーションタスクのタスクウィンドウを表示するかを判断しうる。
【００１７】
具体的に述べると、プレス操作が側縁の第1の位置におけるユーザーのプレス操作であるならば、第1のインターフェース内の少なくとも1つのタスクウィンドウは、端末によって最近実行されて閉じられていない1つ以上のアプリケーションのタスクウィンドウであり、あるいはプレス操作が側縁の第2の位置におけるユーザーのプレス操作であるならば、第1のインターフェース内の少なくとも1つのタスクウィンドウは、第1のアプリケーションの1つ以上のアプリケーションタスクのタスクウィンドウである。本願における第1の位置と第2の位置は、端末の同一側縁の2つの異なる位置であってよい。あるいは、第1の位置と第2の位置は、端末の2つの異なる側縁にあってよい。
【００１８】
端末により、側縁におけるユーザーのプレス操作に応じて、第1のインターフェースを表示するステップは、プレス操作が側縁の第1の位置におけるユーザーのプレス操作である場合、端末により、側縁におけるユーザーのプレス操作に応じて、端末によって最近実行されて閉じられていない少なくとも1つのアプリケーションのタスクウィンドウを含む第1のインターフェースを表示するステップを含んでよく、あるいはプレス操作が側縁の第2の位置におけるユーザーのプレス操作である場合、端末により、側縁におけるユーザーのプレス操作に応じて、第2のアプリケーションのアプリケーションタスクのタスクウィンドウを含む第1のインターフェースを表示するステップであって、第2のアプリケーションは、端末によって最近実行されて閉じられていない少なくとも1つのアプリケーションが実行時間の昇順で並べられた後の最後のアプリケーションである、ステップを含んでよく、それに応じて、第1のタスクウィンドウは第2のアプリケーションのアプリケーションタスクのタスクウィンドウであり、第2のインターフェースは、スライド操作が終わってユーザーの指が側縁から離れるときに端末によって予め設定された方式で表示される第1のタスクウィンドウに対応するアプリケーションタスクのインターフェースである。
【００１９】
本願において、端末は、プレス操作の位置に基づいて、複数のアプリケーションのマルチタスクインターフェースを表示することを、または1つのアプリケーションの複数のアプリケーションタスクのマルチタスクインターフェースを表示することを、端末に命令するために、プレス操作が使われているかどうかを判断しうる。こうして、端末は、側縁を離れない指の連続操作であるプレス操作とスライド操作とに応じて、アプリケーションの切り替えを実施しうるばかりでなく、1つのアプリケーションの中で複数のアプリケーションタスクの切り替えも実施しうる。具体的に述べると、本願によると、1つのアプリケーションのアプリケーションタスクを切り替えるユーザーの操作を減らすこともでき、人間と機械の相互作用性能を高めることができ、ユーザーエクスペリエンスを向上させることができる。
【００２０】
別の可能な一設計方法において、側縁は、端末の左の側縁および／または端末の右の側縁を含む。端末の側縁にあって、ユーザーが端末を把持しているときにユーザーの操作を容易にする位置に、センサーが配置されてよいことが理解されうる。端末の側縁におけるセンサーの具体的な位置は本願で限定されない。加えて、本願における側縁は、端末の左の側縁および／または右の側縁のみならず、端末の上の側縁および／または下の側縁であってもよい。これは本願で限定されない。
【００２１】
別の可能な一設計方法において、ユーザーの意図せぬ操作を回避するため、プレス操作は、側縁の少なくとも2点におけるユーザーのプレス操作であってよい。具体的に述べると、端末により、側縁におけるユーザーのプレス操作に応じて、第1のインターフェースを表示するステップは、端末により、側縁の少なくとも2点におけるユーザーのプレス操作に応じて、第1のインターフェースを表示するステップを含んでよい。
【００２２】
側縁の少なくとも2点におけるユーザーのプレス操作は、端末の同一側縁の少なくとも2つの定位置におけるユーザーのプレス操作であってよい。あるいは、側縁の少なくとも2点におけるユーザーのプレス操作は、端末の異なる側縁の少なくとも2点におけるユーザーのプレス操作であってもよい。
【００２３】
第2の態様によると、本願は端末を提供し、端末の側縁にセンサーが設けられており、端末は、検出ユニットと、処理ユニットと、表示ユニットとを含んでおり、検出ユニットは、センサーを使って端末の側縁におけるユーザーの操作を検出するように構成されており、処理ユニットは、端末で少なくとも1つのタスクを実行するように構成されており、表示ユニットは、側縁におけるユーザーの、検出ユニットによって検出されるプレス操作に応じて、第1のインターフェースを表示し、第1のインターフェースは少なくとも1つのタスクウィンドウを含み、少なくとも1つのタスクウィンドウは処理ユニットによって最近実行されて閉じられていない少なくとも1つのタスクに対応する、ように構成されており、検出ユニットは、側縁におけるユーザーのスライド操作を検出し、スライド操作とプレス操作は側縁から離れないユーザーの指の連続操作である、ようにさらに構成されており、表示ユニットは、検出ユニットによって検出されるスライド操作に応じて、第1のタスクウィンドウを予め設定された方式で表示し、第1のタスクウィンドウは少なくとも1つのタスクウィンドウのいずれか1つであり、少なくとも1つのタスクウィンドウが複数のタスクウィンドウを含む場合、スライド操作のスライド位置が変わるにつれ、予め設定された方式で表示される第1のタスクウィンドウが複数のタスクウィンドウの中で切り替えられる、ようにさらに構成されており、表示ユニットは、スライド操作が終わることおよびユーザーの指が側縁から離れることを検出ユニットによって検出したことに応じて、第2のインターフェースを表示し、第2のインターフェースは、スライド操作が終わってユーザーの指が側縁から離れるときに端末によって予め設定された方式で表示される第1のタスクウィンドウに対応するタスクのインターフェースである、ようにさらに構成されている。
【００２４】
可能な一設計方法において、処理ユニットによって最近実行されて閉じられていない少なくとも1つのタスクは、端末によって最近実行されて閉じられていない少なくとも1つのアプリケーションを含み、表示ユニットによって表示される第1のタスクウィンドウは、処理ユニットによって最近実行されて閉じられていない少なくとも1つのアプリケーションのいずれか1つのタスクウィンドウであり、表示ユニットによって表示される第2のインターフェースは、スライド操作が終わってユーザーの指が側縁から離れるときに予め設定された方式で表示される第1のタスクウィンドウに対応するアプリケーションのインターフェースである。
【００２５】
別の可能な一設計方法において、表示ユニットは、処理ユニットによって最近実行されて閉じられていないアプリケーションが少なくとも2つある場合、側縁におけるユーザーのプレス操作に応じて、少なくとも2つのアプリケーションのタスクウィンドウを含む第1のインターフェースを表示するように具体的に構成されており、第1のタスクウィンドウは、少なくとも2つのアプリケーションのいずれか1つのタスクウィンドウであり、第2のインターフェースは、スライド操作が終わってユーザーの指が側縁から離れるときに表示ユニットによって予め設定された方式で表示される第1のタスクウィンドウに対応するアプリケーションのインターフェースである。
【００２６】
別の可能な一設計方法において、表示ユニットは、処理ユニットによって最近実行されて閉じられていないアプリケーションが第1のアプリケーションのみを含む場合、側縁におけるユーザーのプレス操作に応じて、第1のアプリケーションの1つ以上のアプリケーションタスクのタスクウィンドウを含む第1のインターフェースを表示し、第1のアプリケーションは端末内のいずれかのアプリケーションである、ように具体的に構成されており、第1のタスクウィンドウは第1のアプリケーションのアプリケーションタスクのタスクウィンドウであり、第2のインターフェースは、スライド操作が終わってユーザーの指が側縁から離れるときに表示ユニットによって予め設定された方式で表示される第1のタスクウィンドウに対応するアプリケーションタスクのインターフェースである。
【００２７】
別の可能な一設計方法において、表示ユニットは、表示ユニットが端末のデスクトップを現在表示している場合、側縁におけるユーザーのプレス操作に応じて、処理ユニットによって最近実行されて閉じられていない少なくとも1つのアプリケーションのタスクウィンドウを含む第1のインターフェースを表示するように具体的に構成されており、第1のタスクウィンドウは、端末によって最近実行されて閉じられていない少なくとも1つのアプリケーションのいずれか1つのタスクウィンドウであり、第2のインターフェースは、スライド操作が終わってユーザーの指が側縁から離れるときに表示ユニットによって予め設定された方式で表示される第1のタスクウィンドウに対応するアプリケーションのインターフェースである。
【００２８】
別の可能な一設計方法において、プレス操作は、側縁の第1の位置におけるユーザーのプレス操作である。
【００２９】
別の可能な一設計方法において、表示ユニットは、プレス操作が側縁の第2の位置におけるユーザーのプレス操作である場合、側縁におけるユーザーのプレス操作に応じて、第2のアプリケーションのアプリケーションタスクのタスクウィンドウを含む第1のインターフェースを表示し、第2のアプリケーションは、処理ユニットによって最近実行されて閉じられていない少なくとも1つのアプリケーションが実行時間の昇順で並べられた後の最後のアプリケーションである、ように具体的に構成されており、第1のタスクウィンドウは第2のアプリケーションのアプリケーションタスクのタスクウィンドウであり、第2のインターフェースは、スライド操作が終わってユーザーの指が側縁から離れるときに表示ユニットによって予め設定された方式で表示される第1のタスクウィンドウに対応するアプリケーションタスクのインターフェースである。
【００３０】
別の可能な一設計方法において、側縁は、端末の左の側縁および／または端末の右の側縁を含む。
【００３１】
別の可能な一設計方法において、表示ユニットは、側縁の少なくとも2点におけるユーザーのプレス操作に応じて、第1のインターフェースを表示するように具体的に構成されている。
【００３２】
第3の態様によると、本願は端末を提供し、端末は、プロセッサと、メモリーと、タッチスクリーンと、端末の側縁に設けられたセンサーとを含んでおり、メモリーとタッチスクリーンとセンサーはプロセッサに結合されており、メモリーはコンピュータプログラムコードを記憶するように構成されており、コンピュータプログラムコードはコンピュータ命令を含んでおり、プロセッサがコンピュータ命令を実行すると、センサーは、側縁におけるユーザーのプレス操作を検出するように構成されており、プロセッサは、端末で少なくとも1つのタスクを実行し、少なくとも1つのタスクのデータはメモリーに記憶される、ようにさらに構成されており、タッチスクリーンは、センサーによって検出されるプレス操作に応じて、第1のインターフェースを表示し、第1のインターフェースは少なくとも1つのタスクウィンドウを含み、少なくとも1つのタスクウィンドウはプロセッサによって最近実行されて閉じられていない少なくとも1つのタスクに対応する、ように構成されており、センサーは、側縁におけるユーザーのスライド操作を検出し、スライド操作とプレス操作は側縁から離れないユーザーの指の連続操作である、ようにさらに構成されており、タッチスクリーンは、センサーによって検出されるスライド操作に応じて、第1のタスクウィンドウを予め設定された方式で表示し、第1のタスクウィンドウは少なくとも1つのタスクウィンドウのいずれか1つであり、少なくとも1つのタスクウィンドウが複数のタスクウィンドウを含む場合、スライド操作のスライド位置が変わるにつれ、予め設定された方式で表示される第1のタスクウィンドウが複数のタスクウィンドウの中で切り替えられる、ようにさらに構成されており、センサーは、スライド操作が終わることおよびユーザーの指が側縁から離れることを検出するようにさらに構成されており、タッチスクリーンは、スライド操作が終わることおよびユーザーの指が側縁から離れることをセンサーによって検出したことに応じて、第2のインターフェースを表示し、第2のインターフェースは、スライド操作が終わってユーザーの指が側縁から離れるときにタッチスクリーンによって予め設定された方式で表示される第1のタスクウィンドウに対応するタスクのインターフェースである、ようにさらに構成されている。
【００３３】
可能な一設計方法において、プロセッサによって最近実行されて閉じられていない少なくとも1つのタスクは、プロセッサによって最近実行されて閉じられていない少なくとも1つのアプリケーションを含み、タッチスクリーンによって表示される第1のタスクウィンドウは、プロセッサによって最近実行されて閉じられていない少なくとも1つのアプリケーションのいずれか1つのタスクウィンドウであり、タッチスクリーンによって表示される第2のインターフェースは、スライド操作が終わることおよびユーザーの指が側縁から離れることをセンサーが検出するときにタッチスクリーンによって予め設定された方式で表示される第1のタスクウィンドウに対応するアプリケーションのインターフェースである。
【００３４】
別の可能な一設計方法において、タッチスクリーンは、プロセッサによって最近実行されて閉じられていないアプリケーションが少なくとも2つある場合、センサーによって検出されるプレス操作に応じて、少なくとも2つのアプリケーションのタスクウィンドウを含む第1のインターフェースを表示するように具体的に構成されており、タッチスクリーンによって表示される第1のタスクウィンドウは、少なくとも2つのアプリケーションのいずれか1つのタスクウィンドウであり、タッチスクリーンによって表示される第2のインターフェースは、スライド操作が終わることおよびユーザーの指が側縁から離れることをセンサーが検出するときにタッチスクリーンによって予め設定された方式で表示される第1のタスクウィンドウに対応するアプリケーションのインターフェースである。
【００３５】
別の可能な一設計方法において、タッチスクリーンは、プロセッサによって最近実行されて閉じられていないアプリケーションが第1のアプリケーションのみを含む場合、センサーによって検出されるプレス操作に応じて、第1のアプリケーションの1つ以上のアプリケーションタスクのタスクウィンドウを含む第1のインターフェースを表示し、第1のアプリケーションは端末内のいずれかのアプリケーションである、ように具体的に構成されており、タッチスクリーンによって表示される第1のタスクウィンドウは、第1のアプリケーションのアプリケーションタスクのタスクウィンドウであり、タッチスクリーンによって表示される第2のインターフェースは、スライド操作が終わってユーザーの指が側縁から離れるときにタッチスクリーンによって予め設定された方式で表示される第1のタスクウィンドウに対応するアプリケーションタスクのインターフェースである。
【００３６】
別の可能な一設計方法において、タッチスクリーンは、タッチスクリーンが端末のデスクトップを現在表示している場合、センサーによって検出されるプレス操作に応じて、プロセッサによって最近実行されて閉じられていない少なくとも1つのアプリケーションのタスクウィンドウを含む第1のインターフェースを表示するように具体的に構成されており、タッチスクリーンによって表示される第1のタスクウィンドウは、端末によって最近実行されて閉じられていない少なくとも1つのアプリケーションのいずれか1つのタスクウィンドウであり、タッチスクリーンによって表示される第2のインターフェースは、スライド操作が終わってユーザーの指が側縁から離れるときにタッチスクリーンによって予め設定された方式で表示される第1のタスクウィンドウに対応するアプリケーションのインターフェースである。
【００３７】
別の可能な一設計方法において、センサーによって検出されるプレス操作は、側縁の第1の位置におけるユーザーのプレス操作である。
【００３８】
別の可能な一設計方法において、タッチスクリーンは、プレス操作が側縁の第2の位置におけるユーザーのプレス操作である場合、センサーによって検出されるプレス操作に応じて、第2のアプリケーションのアプリケーションタスクのタスクウィンドウを含む第1のインターフェースを表示し、第2のアプリケーションは、プロセッサによって最近実行されて閉じられていない少なくとも1つのアプリケーションが実行時間の昇順で並べられた後の最後のアプリケーションである、ように具体的に構成されており、タッチスクリーンによって表示される第1のタスクウィンドウは、第2のアプリケーションのアプリケーションタスクのタスクウィンドウであり、タッチスクリーンによって表示される第2のインターフェースは、スライド操作が終わってユーザーの指が側縁から離れるときにタッチスクリーンによって予め設定された方式で表示される第1のタスクウィンドウに対応するアプリケーションタスクのインターフェースである。
【００３９】
別の可能な一設計方法において、側縁は、端末の左の側縁および／または端末の右の側縁を含む。
【００４０】
別の可能な一設計方法において、タッチスクリーンは、側縁の少なくとも2点におけるユーザーの、センサーによって検出されるプレス操作に応じて、第1のインターフェースを表示するように具体的に構成されている。
【００４１】
第4の態様によると、本願はグラフィカルユーザーインターフェース（Graphical User Interface、GUI）を提供し、グラフィカルユーザーインターフェースは端末に記憶され、端末は、タッチスクリーンと、メモリーと、プロセッサと、端末の側縁に設けられたセンサーとを含んでおり、センサーは側縁におけるユーザーの操作を検出するように構成されており、プロセッサはメモリーに記憶された1つ以上のコンピュータプログラムを実行するように構成されており、
グラフィカルユーザーインターフェースは、側縁におけるプレス操作に応じて、タッチスクリーンに表示される第1のGUIであって、第1のGUIは第1のインターフェースを含んでおり、第1のインターフェースは少なくとも1つのタスクウィンドウを含み、少なくとも1つのタスクウィンドウはプロセッサによって最近実行されて閉じられていない少なくとも1つのタスクに対応する、第1のGUIと、側縁におけるスライド操作に応じてタッチスクリーンに表示される第2のGUIであって、スライド操作とプレス操作は側縁から離れないユーザーの指の連続操作であり、第2のGUIには第1のタスクウィンドウが予め設定された方式で表示され、第1のタスクウィンドウは少なくとも1つのタスクウィンドウのいずれか1つであり、少なくとも1つのタスクウィンドウが複数のタスクウィンドウを含む場合、スライド操作のスライド位置が変わるにつれ、第2のGUIに予め設定された方式で表示される第1のタスクウィンドウが複数のタスクウィンドウの中で切り替えられる、第2のGUIと、スライド操作が終わることおよびユーザーの指が側縁から離れることに応じてタッチスクリーンに表示される第3のGUIであって、第3のGUIは第2のインターフェースを含んでおり、第2のインターフェースは、スライド操作が終わってユーザーの指が側縁から離れるときに第2のGUIに予め設定された方式で表示される第1のタスクウィンドウに対応するタスクのインターフェースである、第3のGUIとを、含む。
【００４２】
可能な一設計方法において、第2のGUI内の第1のタスクウィンドウは、プロセッサによって最近実行されて閉じられていない少なくとも1つのアプリケーションのいずれか1つのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションのインターフェースである。
【００４３】
別の可能な一設計方法において、第1のGUI内の第1のインターフェースは、プロセッサによって最近実行されて閉じられていない少なくとも2つのアプリケーションのタスクウィンドウを具体的に含んでおり、第2のGUI内の第1のタスクウィンドウは、少なくとも2つのアプリケーションのいずれか1つのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションのインターフェースである。
【００４４】
別の可能な一設計方法において、プロセッサによって最近実行されて閉じられていないアプリケーションが第1のアプリケーションのみを含む場合、第1のGUI内の第1のインターフェースは、具体的には、第1のアプリケーションの1つ以上のアプリケーションタスクのタスクウィンドウを含む第1のインターフェースであり、第1のアプリケーションは端末内のいずれかのアプリケーションであり、第2のGUI内の第1のタスクウィンドウは、第1のアプリケーションのアプリケーションタスクのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションタスクのインターフェースである。
【００４５】
別の可能な一設計方法において、タッチスクリーンが端末のデスクトップを表示する場合、側縁におけるプレス操作に応じてタッチスクリーンに表示される第1のGUI内の第1のインターフェースは、プロセッサによって最近実行されて閉じられていない少なくとも1つのアプリケーションのタスクウィンドウを含み、第2のGUI内の第1のタスクウィンドウは、端末によって最近実行されて閉じられていない少なくとも1つのアプリケーションのいずれか1つのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションのインターフェースである。
【００４６】
別の可能な一設計方法において、プレス操作は、側縁の第1の位置におけるユーザーのプレス操作である。
【００４７】
別の可能な一設計方法において、側縁の第2の位置におけるプレス操作に応じてタッチスクリーンに表示される第1のGUI内の第1のインターフェースは、第2のアプリケーションのアプリケーションタスクのタスクウィンドウを含み、第2のアプリケーションは、タッチスクリーンによって最近実行されて閉じられていない少なくとも1つのアプリケーションが実行時間の昇順で並べられた後の最後のアプリケーションであり、第2のGUI内の第1のタスクウィンドウは、第2のアプリケーションのアプリケーションタスクのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションタスクのインターフェースである。
【００４８】
第5の態様によると、本願はコンピュータ記憶媒体を提供し、コンピュータ記憶媒体はコンピュータ命令を含んでおり、コンピュータ命令が端末で実行されると、端末は、第1の態様、または第1の態様のいずれかの可能な設計方法によるタスク切り替え方法を行うことが可能となる。
【００４９】
第6の態様によると、本願はコンピュータプログラム製品を提供し、コンピュータプログラム製品がコンピュータで実行されると、コンピュータは、第1の態様、および第1の態様のいずれかの可能な設計方法によるタスク切り替え方法を行うことが可能となる。
【００５０】
上記の第2の態様、または第3の態様、またはその可能な設計方法の端末、第4の態様のGUI、第5の態様のコンピュータ記憶媒体、ならびに第6の態様のコンピュータプログラム製品がいずれも、上記の対応する方法を行うように構成されることが理解されうる。したがって、端末、GUI、コンピュータ記憶媒体、およびコンピュータプログラム製品が達成できる有益な効果については、上記の対応する方法の有益な効果を参照されたい。ここでは詳細を繰り返し説明しない。
【図面の簡単な説明】
【００５１】
【図１】本願による端末の表示インターフェースの一例の概略図1である。
【図２】本願による端末のハードウェアの概略構造図である。
【図３Ａ】本願による端末でセンサーが設けられる側縁の一例の概略図1である。
【図３Ｂ】本願による端末でセンサーが設けられる側縁の一例の概略図2である。
【図３Ｃ】本願による端末でセンサーが設けられる側縁の一例の概略図3である。
【図４】本願によるタスク切り替え方法の流れ図1である。
【図５】本願による端末の表示インターフェースの一例の概略図2である。
【図６】本願による端末の表示インターフェースの一例の概略図3である。
【図７】本願による端末の表示インターフェースの一例の概略図4である。
【図８】本願による端末の表示インターフェースの一例の概略図5である。
【図９】本願による端末の表示インターフェースの一例の概略図6である。
【図１０】本願による端末の表示インターフェースの一例の概略図7である。
【図１１（ａ）】本願による端末の表示インターフェースの一例の概略図8である。
【図１１（ｂ）】本願による端末の表示インターフェースの一例の概略図8である。
【図１２】本願によるタスク切り替え方法の流れ図2である。
【図１３】本願による端末の表示インターフェースの一例の概略図9である。
【図１４】本願による端末の表示インターフェースの一例の概略図10である。
【図１５】本願による端末の表示インターフェースの一例の概略図11である。
【図１６】本願によるタスク切り替え方法の流れ図3である。
【図１７】本願による端末の表示インターフェースの一例の概略図12である。
【図１８】本願による端末の側縁の第1の位置および第2の位置の一例の概略図1である。
【図１９】本願による端末の側縁の第1の位置および第2の位置の一例の概略図2である。
【図２０】本願によるタスク切り替え方法の流れ図4である。
【図２１】本願による端末の表示インターフェースの一例の概略図13である。
【図２２】本願による端末の概略構造図1である。
【図２３】本願による端末の概略構造図2である。
【発明を実施するための形態】
【００５２】
以下に記述された用語「第1」および「第2」は、ただ単に説明を目的とするものであり、記載された技術的特徴の相対的な重要度の指示または暗示として、あるいは記載された技術的特徴の数量の暗黙的指示として、理解されるべきではない。したがって、「第1」や「第2」によって定義される特徴は、1つ以上の特徴を明示的にか暗黙的に含み得る。本願の説明では、別段の記述がある場合を除き、「複数の」は2つ以上を意味する。
【００５３】
一般に、メインデスクトップに戻ってアプリケーションの切り替えを実施するプロセスでは、ユーザーの操作は複雑であり、人間と機械の相互作用性能は比較的乏しい。図1に示された携帯電話機100を一例として使用し、この問題を解決するため、ユーザーは、アプリケーションの切り替えを実施するように、携帯電話機100を以下のように制御しうる。
【００５４】
携帯電話機100が図1の（a）に示された「設定」アプリケーションのインターフェース101を現在表示しており、携帯電話機100が3つのアプリケーションプログラムを、すなわち「設定」アプリケーションと、「ダイヤルアップ」アプリケーションと、「WeChat」アプリケーションとを、最近実行したと仮定する。携帯電話機100は、ユーザーが図1の（a）に示された最近（Recent）キー102をタップした後に、Recentキー102に対するユーザーのタップ操作に応じて、複数のタスクウィンドウを含むマルチタスクインターフェースを表示しうる。
【００５５】
例えば、携帯電話機100は図1の（b）に示されたマルチタスクインターフェース106を表示する。マルチタスクインターフェース106は、「ダイヤルアップ」タスクウィンドウ107と、「設定」タスクウィンドウ108と、「WeChat」タスクウィンドウ109とを含む。あるいは、ユーザーは、携帯電話機のHomeキーをダブルタップすることで、図1の（b）に示されたマルチタスクインターフェースを制御しうる。その後、携帯電話機100は、図1の（b）に示されているように、ユーザーがマルチタスクインターフェース106でいずれかのタスクウィンドウ（「WeChat」タスクウィンドウ109など）をタップした後に、「WeChat」タスクウィンドウ109におけるユーザーの選択操作に応じて、「WeChat」タスクウィンドウ109に対応する「WeChat」アプリケーションのインターフェースを、例えば図1の（c）に示されたWeChatインターフェース110を、表示しうる。
【００５６】
図1の（a）に示されているように、Recentキー102は携帯電話機100のナビゲーションバー103に位置する。ナビゲーションバー（Navigation Bar）は携帯電話機の画面底部のショートカットボタンバーであり、一般に携帯電話機の画面底部に仮想キーの形で現れる。ナビゲーションバーは、デフォルトにより、3つのボタンを、すなわちBackキーと、Homeキーと、Recentキーとを、含んでおり、Backキーは前のインターフェースに戻るために使われ、Homeキーはデスクトップに戻るために使われ、Recentキーは最近使われたアプリケーションプログラムを表示するために使われる。図1の（a）に示されているように、ナビゲーションバー103は、Backキー104と、Homeキー105と、Recentキー102とを含む。
【００５７】
ただし、ユーザーが、Recentキー102をタップするかHomeキーをダブルタップすることによって、マルチタスクインターフェースを表示するように携帯電話機を制御し、その後、マルチタスクインターフェースでタスクウィンドウをタップして選択してアプリケーションの切り替えを実施するに関わりなく、ユーザーは、アプリケーションの切り替えを実施するために、携帯電話機の異なる場所で操作を少なくとも2回行う必要がある。ユーザーの操作は複雑であり、人間と機械の相互作用性能は比較的乏しい。
【００５８】
本願はタスク切り替え方法および端末を提供するものであり、この方法は、端末が端末によって最近実行された複数のタスクを切り替えるプロセスに適用されうる。具体的に述べると、タスクを切り替える過程でユーザーの操作を減らして、人間と機械の相互作用性能を高めるため、端末は、端末の側縁におけるユーザーの1回の連続操作に応じて、端末によって最近実行されたタスクの切り替えを実施しうる。
【００５９】
なお、端末は、端末によって最近実行された複数のタスクのインターフェースの表示を切り替えうる。例えば、本願において、端末によって最近実行された複数のタスクは、端末によって最近実行された複数のアプリケーションであり、あるいは複数のタスクは、端末によって現在実行されている第1のアプリケーションの複数のアプリケーションタスクであってよい。
【００６０】
本願における端末は、側縁にセンサーが配置された電子デバイスであってよい。例えば、端末は、携帯電話機（図1に示された携帯電話機100など）、タブレットコンピュータ、パーソナルコンピュータ（Personal Computer、PC）、個人用デジタル補助装置（personal digital assistant、PDA）、スマートウォッチ、ネットブック、ウェアラブル電子デバイスなどであってよい。端末の具体的な形態は本願で具体的に限定されない。
【００６１】
本願で提供されるタスク切り替え方法はタスク切り替え装置によって行われてよく、タスク切り替え装置は図1または図2に示された端末であってよい。加えて、タスク切り替え装置は、中央処理装置（Central Processing Unit、略してCPU）、または端末内にあってタスクの切り替えを行うように構成された制御モジュールであってもよい。端末が本発明の本実施形態のタスク切り替え方法を行う一例を用いて、本発明の本実施形態で提供されるタスク切り替え方法を説明する。
【００６２】
図2に示されているように、端末の一例として携帯電話機100が用いられる。携帯電話機100は、プロセッサ201、高周波（Radio Frequency、RF）回路202、メモリー203、タッチスクリーン204、Bluetooth装置205、1つ以上のセンサー206、Wi−Fi装置207、測位装置208、オーディオ回路209、周辺機器インターフェース210、および電源211などのコンポーネントを具体的に含んでよい。これらのコンポーネントは1つ以上の通信バスまたは信号ケーブル（図2に図示せず）を使って通信を行いうる。当業者ならば、図2に示されたハードウェア構造が携帯電話機を制限するものではないことが理解されうる。携帯電話機100に含まれるコンポーネントの数は図に示されたものよりも多くても少なくてもよく、あるいはいくつかのコンポーネントは組み合わされ、あるいはコンポーネントの配置は異なる。
【００６３】
以下、図2を参照しながら携帯電話機100の各コンポーネントを詳しく説明する。
【００６４】
プロセッサ201は携帯電話機100のコントロールセンターである。プロセッサ201は様々なインターフェースとラインを使って携帯電話機100の全ての部分に接続されており、メモリー203に記憶されたアプリケーションプログラムを作動させることにより、または実行することにより、なおかつメモリー203に記憶されたデータを呼び出すことにより、携帯電話機100の様々な機能とデータ処理を実行する。いくつかの実施形態において、プロセッサ201は1つ以上の処理ユニットを含んでよい。本願のいくつかの実施形態において、プロセッサ201は、キャプチャされた指紋を照合するように構成された指紋照合チップをさらに含んでよい。
【００６５】
高周波回路202は無線信号を受信および送信するように構成されてよい。具体的に述べると、高周波回路202は、基地局からダウンリンクデータを受信した後に、ダウンリンクデータを処理のためプロセッサ201へ送信してもよく、アップリンクデータを基地局へ送信してもよい。一般に、高周波回路は、アンテナ、少なくとも1つの増幅器、トランシーバ、カプラー、低雑音増幅器、デュプレクサなどを含み、ただしこれらに限定されない。加えて、高周波回路202は無線通信で別のデバイスとさらに通信しうる。無線通信は、移動通信用グローバルシステム、一般パケット無線サービス、符号分割多重アクセス、広帯域符号分割多重アクセス、ロングタームエボリューションなどを含み、ただしこれらに限定されない、何らかの通信規格またはプロトコルに基づきうる。
【００６６】
メモリー203は、アプリケーションプログラムとデータを記憶するように構成されている。プロセッサ201は、メモリー203に記憶されたアプリケーションプログラムとデータを実行することによって携帯電話機100の様々な機能とデータ処理を行う。メモリー203は、プログラムストレージエリアとデータストレージエリアとを主に含む。プログラムストレージエリアは、オペレーティングシステムと、少なくとも1つの機能（音声再生機能や画像表示機能など）に必要なアプリケーションプログラムとを、記憶しうる。データストレージエリアは、携帯電話機100の使用に従って作成されるデータ（音声データや電話帳など）を記憶しうる。加えて、メモリー203は高速ランダムアクセスメモリー（Random Access Memory、RAM）を含んでよく、不揮発性メモリーを、例えば、磁気ディスクストレージデバイス、フラッシュメモリー、または他の不揮発性ソリッドステートストレージデバイスを、さらに含んでよい。メモリー203は様々なオペレーティングシステムを記憶しうる。メモリー203は独立していてよく、通信バスを使ってプロセッサ201に接続され、あるいはメモリー203はプロセッサ201と一体化されてよい。
【００６７】
タッチスクリーン204はタッチパッド204−1とディスプレイ204−2とを具体的に含んでよい。
【００６８】
タッチパッド204−1は、タッチパッド上かタッチパッド付近での携帯電話機100のユーザーのタッチイベント（例えば、指やスタイラスなどの適切な物を使ってタッチパッド204−1上で、またはタッチパッド204−1の近くで、ユーザーによって行われる操作）を捕捉し、捕捉したタッチ情報を別のコンポーネント（例えばプロセッサ201）へ送ってもよい。タッチパッド204−1付近でのタッチイベントは、フローティングタッチと呼ばれることがある。フローティングタッチでは、ユーザーがオブジェクト（例えばアイコン）を選択したり動かしたりドラッグしたりするために、タッチパッドに直接触れる必要はなく、ユーザーがデバイスの近くにいるだけで必要な機能を簡単に実施しうる。加えて、タッチパッド204−1は、抵抗膜型、静電容量型、赤外線型、表面弾性波型など、複数のタイプで実装され得る。
【００６９】
ディスプレイ（表示画面とも呼ばれる）204−2は、ユーザーによって入力される情報を、またはユーザーに提供される情報を、ならびに携帯電話機100の様々なメニューを、表示するように構成されうる。ディスプレイ204−2は、液晶ディスプレイや有機発光ダイオードなどの形態で構成されうる。タッチパッド204−1はディスプレイ204−2を覆ってよい。タッチパッド204−1上で、またはタッチパッド204−1の近くで、タッチイベントを検出すると、タッチパッド204−1は、タッチイベントのタイプを判断するため、タッチイベントをプロセッサ201へ送る。その後、プロセッサ201は、タッチイベントのタイプに基づいて、ディスプレイ204−2上で対応する視覚的出力を提供しうる。
【００７０】
なお、図2では、携帯電話機100の入出力機能を実行するため、タッチパッド204−1とディスプレイパネル204−2が2つの独立したコンポーネントとして使用されているが、いくつかの実施形態では、携帯電話機100の入出力機能を実行するため、タッチパッド204−1と表示画面204−2が一体化される場合もある。複数の材料層の積み重ねによってタッチスクリーン204が形成され得ることが理解されうる。本願の本実施形態ではタッチパッド（層）と表示画面（層）だけが提示されている。他の層は本願の本実施形態で説明されない。加えて、タッチパッド204−1は携帯電話機100の前面でコンプリートパネル形式で構成されてよく、表示画面204−2も携帯電話機100の前面でコンプリートパネル形式で構成されてよい。したがって、携帯電話機の前面でベゼルフリー構造を実装しうる。
【００７１】
加えて、携帯電話機100は指紋認識機能をさらに有してよい。例えば、携帯電話機100の背面（例えば背面カメラの下）に指紋認識器212が構成されてよく、あるいは携帯電話機100の前面（例えばタッチスクリーン204の下）に指紋認識器212が構成される。別の一例として、指紋認識器212は、指紋認識機能を実行するため、タッチスクリーン204に構成されてもよい。具体的に述べると、指紋認識器212は、携帯電話機100の指紋認識機能を実行するため、タッチスクリーン204と一体化されてよい。この場合、指紋認識器212はタッチスクリーン204に構成されてタッチスクリーン204の一部となってよく、あるいは別のやり方でタッチスクリーン204に構成されてよい。本願の本実施形態で指紋認識器212の主要コンポーネントは指紋センサーである。指紋センサーには、光学式感知技術、静電容量式感知技術、圧電式感知技術、または超音波感知技術などを含み、ただしこれらに限定されない、何らかのタイプの感知技術を採用しうる。
【００７２】
携帯電話機100は、携帯電話機100と別の短距離デバイス（例えば携帯電話機やスマートウォッチ）との間でデータのやり取りを実行するように構成されたBluetooth装置205をさらに含んでよい。本願の本実施形態において、Bluetooth装置は集積回路、Bluetoothチップなどであってよい。
【００７３】
1つ以上のセンサー206は、携帯電話機の側縁に配置されて、側縁におけるユーザーのプレス操作と側縁におけるユーザーのスライド操作とを検出するように構成されてよい、センサーを含む。本願における側縁は、端末の左の側縁、および／または端末の右の側縁を含む。
【００７４】
例えば、図3Aに示されているように、センサーは携帯電話機100の右の側縁に配置されてよい。センサーは、携帯電話機100の右の側縁に、すなわち、図3Aに示された破線ブロック301に相当する位置に、具体的に配置される。あるいは、図3Bに示されているように、センサーは携帯電話機100の左の側縁に配置されてもよい。センサーは、携帯電話機100の左の側縁に、すなわち、図3Bに示された破線ブロック302に相当する位置に、具体的に配置される。あるいは、センサーは、携帯電話機100の左の側縁と右の側縁の両方に配置されてもよい。例えば、図3Cの（a）に示されているように、センサーは、携帯電話機100の右の側縁の破線ブロック303に相当する位置に配置されてよく、センサーは、携帯電話機100の左の側縁の破線ブロック304に相当する位置に配置されてよい。
【００７５】
なお、センサーは、端末の側縁にあって、ユーザーが端末を把持しているときにユーザーの操作を容易にする位置に、配置されてよい。端末の側縁におけるセンサーの具体的な位置は本願で限定されない。
【００７６】
加えて、本願における側縁は、端末の左の側縁および／または右の側縁のみならず、端末の上の側縁および／または下の側縁であってもよい。これは本願で限定されない。例えば、図3Cの（b）に示されているように、センサーは、携帯電話機100の上の側縁の破線ブロック305に相当する位置に配置されてよい。
【００７７】
勿論、1つ以上のセンサー206は前述したセンサーを含み、ただしこれに限定されない。例えば、1つ以上のセンサー206は、光センサー、運動センサー、および他のセンサーをさらに含み得る。具体的に述べると、光センサーは周囲光センサーと近接センサーとを含み得る。周囲光センサーは、周囲光の明るさに基づいてタッチスクリーン204の輝度を調節しうる。近接センサーは、携帯電話機100が耳へ移動するときにディスプレイをオフにしうる。運動センサーの1種として、加速度計センサーは全方向（一般に3軸）における加速度の大きさを検出でき、加速度計センサーが静止状態のときに重力の大きさと方向を検出でき、携帯電話機の姿勢認識用途や（例えば、横向きと縦向きの切り替え、関連ゲーム、磁力計姿勢較正など）、振動認識に関連する機能（例えば、歩数計、ストロークなど）などに利用しうる。ジャイロスコープ、気圧計、湿度計、温度計、赤外線センサーなど、携帯電話機100のために構成されうるその他のセンサーについては、詳細をここで説明しない。
【００７８】
Wi−Fi装置207は、Wi−Fi関連規格に準拠するネットワークアクセスを携帯電話機100に提供するように構成されている。携帯電話機100はWi−Fi装置207を使ってWi−Fiホットスポットにアクセスでき、eメールを送受信したり、ウェブページを閲覧したり、ストリーミングメディアにアクセスしたりするユーザーを支援できる。Wi−Fi装置207は無線ブロードバンドインターネットアクセスをユーザーに提供する。他の実施形態において、Wi−Fi装置207はWi−Fi無線アクセスポイントとして使われてもよく、Wi−Fiネットワークアクセスを別のデバイスに提供してもよい。
【００７９】
測位装置208は地理的位置を携帯電話機100に提供するように構成されている。測位装置208が、具体的には、全地球測位システム（Global Positioning System、GPS）、北斗衛星システム、ロシアGLONASSなどの測位システムの受信器であり得ることが理解されうる。
【００８０】
測位装置208は、測位システムによって送信された地理的位置情報を受信した後に、その情報を処理のためプロセッサ201へ送信し、あるいはその情報を記憶のためメモリー203へ送信する。あるいは、他の実施形態において、測位装置208は補助全地球測位システム（Assisted Global Positioning System、AGPS）の受信器であってもよい。AGPSは、補助サーバーとして、測距サービスや測位サービスの完遂にあたって測位装置208を補助する。この場合、測位補助サーバーは、携帯電話機100などのデバイスの測位装置208（すなわちGPS受信器）と通信して、測位補助を提供する。
【００８１】
あるいは、他の実施形態において、測位装置208はWi−Fiホットスポットに基づく測位技術であってもよい。それぞれのWi−Fiホットスポットは全地球的に一意な媒体アクセス制御（Media Access Control、MAC）アドレスを有するため、Wi−Fiが有効になっているときに、デバイスは近くのWi−Fiホットスポットのブロードキャスト信号をスキャンして捕捉することができ、このためWi−FiホットスポットによってブロードキャストされるMACアドレスを得ることができ、デバイスは、Wi−Fiホットスポットを識別できるデータ（例えばMACアドレス）を無線通信ネットワークを使ってロケーションサーバーへ送信し、ロケーションサーバーはそれぞれのWi−Fiホットスポットの地理的位置を取り出し、Wi−Fiブロードキャスト信号の強度を基準にしてデバイスの地理的位置を計算し、デバイスの測位装置208へ地理的位置を送信する。
【００８２】
オーディオ回路209、スピーカー213、およびマイクロフォン214は、ユーザーと携帯電話機100との間に音声インターフェースを提供しうる。オーディオ回路209は、受け取った音声データを電気信号に変換し、その後、電気信号をスピーカー213へ送信してもよく、スピーカー213は電気信号を音響信号に変換して出力する。他方、マイクロフォン214は捕捉した音響信号を電気信号に変換し、オーディオ回路209は受け取った電気信号を音声データに変換し、その後、音声データをRF回路202へ出力し、その後、音声データは別の携帯電話機へ送信され、あるいは音声データはさらなる処理のためメモリー203へ出力される。
【００８３】
周辺機器インターフェース210は、外部入力／出力デバイス（例えば、キーボード、マウス、外部ディスプレイ、外部メモリー、加入者識別モジュールカード）のための様々なインターフェースを提供するように構成されている。例えば、周辺機器インターフェースはユニバーサルシリアルバス（Universal Serial Bus、USB）インターフェースを使ってマウスに接続され、あるいは加入者識別モジュールカードスロット内の金属接点を使って、通信事業者から提供される加入者識別モジュール（Subscriber Identification Module、SIM）カードに、接続される。周辺機器インターフェース210は、外部入力／出力周辺デバイスをプロセッサ201およびメモリー203に結合するように構成されてよい。
【００８４】
本発明の本実施形態で、携帯電話機100は周辺機器インターフェース210を使ってデバイスグループ内の別のデバイスと通信でき、例えば、周辺機器インターフェース210を使って別のデバイスによって送信される表示データを受信でき、なおかつそのデータを表示しうる。これは本発明の本実施形態で限定されない。
【００８５】
携帯電話機100は、それぞれのコンポーネントに電力を供給する電源装置211（例えば、電池、電源管理チップ）をさらに含んでよい。電池は電源管理チップを使ってプロセッサ201に論理的に接続されてよく、充放電管理や消費電力管理などの機能は電源装置211を使って実行される。
【００８６】
図2には示されていないが、携帯電話機100は、カメラ（前面カメラおよび／または背面カメラ）、フラッシュ、マイクロプロジェクション装置、近距離通信（Near Field Communication、NFC）装置などをさらに含んでよい。ここでは詳細を説明しない。
【００８７】
以降の実施形態の方法はいずれも、前述したハードウェア構造を有する携帯電話機100で実施しうる。
【００８８】
本願はタスク切り替え方法を提供する。このタスク切り替え方法は、端末の側縁にセンサーが設けられており、センサーが側縁におけるユーザーの操作を検出するように構成された端末に適用できる。図4に示されているように、タスク切り替え方法はS401〜S404を含む。
【００８９】
S401．端末は、側縁におけるユーザーのプレス操作に応じて、第1のインターフェースを表示し、第1のインターフェースは少なくとも1つのタスクウィンドウを含み、少なくとも1つのタスクウィンドウは、端末によって最近実行されて閉じられていない少なくとも1つのタスクに対応する。
【００９０】
端末の側縁にセンサーが設けられており、センサーは、側縁におけるユーザーのタップ操作、プレス操作、スライド操作などを検出しうる。例えば、ユーザーが側縁を押すと、センサーはユーザーが側縁を押す圧力値を検出し、検出した圧力値を端末のプロセッサへ送信してもよい。プロセッサは、圧力値が所定の圧力閾値より大きいと判断する場合、側縁におけるユーザーの操作がプレス操作であると判断してもよく、第1のインターフェースを表示することを端末のタッチスクリーンに命令しうる。
【００９１】
本願の第1の適用シナリオにおいて、端末によって最近実行された少なくとも1つのタスクは、端末によって最近実行されて閉じられていない少なくとも1つのアプリケーションを含む。第1のタスクウィンドウは、端末によって最近実行されて閉じられていない少なくとも1つのアプリケーションのいずれか1つのタスクウィンドウである。端末によって最近実行されて閉じられていない少なくとも1つのタスクとは、端末の電源が最近入った後に端末で起動され閉じられていないタスクであり、端末は作動状態にあってよく、あるいはスリープ状態かアイドル状態などにあってよい。
【００９２】
なお、本願の第1の適用シナリオにおいて、端末がいずれかのアプリケーションのインターフェース（例えば、図5の（a）に示された「WeChat」アプリケーションのインターフェース501）を現在表示しているか、端末が端末のデスクトップ（例えば、図5の（b）に示された端末のデスクトップ502）を現在表示しているかにかかわらず、端末は、側縁におけるユーザーのプレス操作に応じて、端末によって最近実行されて閉じられていない少なくとも1つのアプリケーションのタスクウィンドウを含む第1のインターフェースを表示しうる。
【００９３】
例えば、端末は携帯電話機100であり、携帯電話機100の右の側縁にセンサーが設けられている。図5の（a）に示されているように、携帯電話機100は「WeChat」アプリケーションのインターフェース501を現在表示しており、図5の（b）に示されているように、携帯電話機は端末のデスクトップ502を現在表示している。携帯電話機100によって最近実行されて閉じられていない少なくとも1つのアプリケーションが、「ダイヤルアップ」アプリケーションと、「設定」アプリケーションと、「WeChat」アプリケーションとを含むと仮定する。この場合、携帯電話機100は、ユーザーが図5の（a）か図5の（b）に示された携帯電話機100を押した後に、携帯電話機100におけるユーザーのプレス操作に応じて、図5の（c）に示された第1のインターフェース503を表示しうる。図5の（c）に示された第1のインターフェース503は、携帯電話機100によって最近実行されて閉じられていない少なくとも1つのアプリケーションのタスクウィンドウを、例えば、「ダイヤルアップ」アプリケーションのタスクウィンドウ504と、「設定」アプリケーションのタスクウィンドウ505と、「WeChat」アプリケーションのタスクウィンドウ506とを、含む。
【００９４】
なお、第1のインターフェースに含まれるアプリケーションのタスクウィンドウは、端末によるアプリケーションの実行時間の昇順で配置されてもよく、あるいは第1のインターフェースに含まれるアプリケーションのタスクウィンドウは、ランダムに配置されてもよい。第1のインターフェースに含まれるアプリケーションの配置されたタスクウィンドウの順序は本願で限定されない。
【００９５】
任意選択で、ユーザーの意図せぬ操作を回避するため、プレス操作は、側縁の少なくとも2点におけるユーザーのプレス操作であってよい。具体的に述べると、S401はS401aに差し替えられてよい。
【００９６】
S401a．端末は、側縁の少なくとも2点におけるユーザーのプレス操作に応じて、第1のインターフェースを表示する。
【００９７】
側縁の少なくとも2点におけるユーザーのプレス操作は、端末の同一側縁の少なくとも2つの定位置におけるユーザーのプレス操作であってよく、例えば、図3Aに示された破線ブロック303の少なくとも2つの定位置におけるユーザーのプレス操作であってよい。あるいは、側縁の少なくとも2点におけるユーザーのプレス操作は、端末の異なる側縁の少なくとも2点におけるユーザーのプレス操作であってもよい。例えば、プレス操作は、携帯電話機100の右の側縁におけるユーザーのプレス操作と、携帯電話機100の上の側縁におけるユーザーのプレス操作とを含んでよい。
【００９８】
S402．端末は側縁におけるユーザーのスライド操作を検出し、スライド操作とプレス操作は側縁から離れない指の連続操作である。
【００９９】
本願において、「スライド操作とプレス操作は側縁から離れない指の連続操作である」は、端末による側縁におけるユーザーのスライド操作の検出から、端末による側縁におけるユーザーのスライド操作の検出までの過程で、ユーザーの指が側縁から離れないこと具体的に意味する。
【０１００】
例えば、本願におけるスライド操作は、ユーザーが側縁でプレス操作をインプットした後に直ちに側縁でインプットされるスライド操作であってよい。具体的に述べると、スライド操作とプレス操作の間に時間間隔はなく、ユーザーの指は側縁から離れない。あるいは、本願におけるスライド操作は、ユーザーが側縁でプレス操作をインプットしたN秒後に側縁でインプットされるスライド操作であってもよく、ユーザーの指は端末の側縁から離れない（すなわち、ユーザーの指は側縁に触れ、ずっと側縁に留まる）。例えば、Nは、3、5、または10などの数値のいずれか1つであってよい。Nの値範囲は本願で限定されない。
【０１０１】
S403．端末は、スライド操作に応じて、第1のタスクウィンドウを予め設定された方式で表示し、第1のタスクウィンドウは少なくとも1つのタスクウィンドウのいずれか1つであり、少なくとも1つのタスクウィンドウが複数のタスクウィンドウを含む場合、スライド操作のスライド位置が変わるにつれ、予め設定された方式で表示される第1のタスクウィンドウが複数のタスクウィンドウの中で切り替えられる。
【０１０２】
例えば、携帯電話機100が、側縁におけるユーザーのプレス操作に応じて、図5の（c）に示された第1のインターフェース503を表示した後に、ユーザーの指は携帯電話機100の側縁から離れない。図5の（d）に示されているように、携帯電話機100が側縁におけるユーザーのスライド操作を検出した後に、携帯電話機100は「ダイヤルアップ」アプリケーションのタスクウィンドウ504（すなわち第1のタスクウィンドウ）を黒色で（すなわち予め設定された方式で）表示しうる。
【０１０３】
任意選択で、スライド操作に応じて端末によって予め設定された方式で表示される第1のタスクウィンドウは、少なくとも1つのタスクウィンドウのいずれかのタスクウィンドウであってよい。側縁におけるユーザーのスライド操作に応じて携帯電話機100によって黒色で表示されるタスクウィンドウは、例えば図5の（d）に示された「ダイヤルアップ」アプリケーションのタスクウィンドウ504は、「WeChat」アプリケーションのタスクウィンドウ506（図5に図示せず）に差し替えられてよい。これは本願で限定されない。
【０１０４】
端末によって受け取られるスライド操作は、側縁でユーザーによってインプットされるタッチ操作であり、そのスライド位置は変わる。本願において、少なくとも1つのタスクウィンドウが複数のタスクウィンドウを含む場合、スライド操作のスライド位置が変わるにつれ、予め設定された方式で表示される第1のタスクウィンドウが複数のタスクウィンドウの中で切り替えられる。
【０１０５】
例えば、図6に示されているように、スライド操作のスライド位置がスライド進路601に沿って図6の（a）に示された点Aから図6の（b）に示された点Bに変わることを携帯電話機100が検出すると、携帯電話機100によって表示される第1のインターフェースは、図6の（a）に示された第1のインターフェース506から図6の（b）に示された第1のインターフェース602に切り替えられてよい。図6の（b）に示された第1のインターフェース602で、携帯電話機100は「設定」アプリケーションのタスクウィンドウ504を黒色で（すなわち予め設定された方式で）表示している。
【０１０６】
スライド操作のスライド位置が変わり続けるにつれ、端末によって予め設定された方式で表示される第1のタスクウィンドウが複数のタスクウィンドウの中で切り替えられ続けることが理解されうる。例えば、携帯電話機100が、スライド操作のスライド位置が図6の（b）に示された点Bからスライド進路601に沿って下にスライドし続けることを検出すると、携帯電話機100は「WeChat」アプリケーションのタスクウィンドウ505（図示せず）を黒色で（すなわち予め設定された方式で）表示しうる。
【０１０７】
なお、少なくとも1つのタスクウィンドウがただ1つのタスクウィンドウを含む場合、スライド操作のスライド位置が変わるにつれ、端末はそのタスクウィンドウを予め設定された方式で表示しない。
【０１０８】
S404．端末は、スライド操作が終わることおよびユーザーの指が側縁から離れることを検出したことに応じて、第2のインターフェースを表示し、第2のインターフェースは、スライド操作が終わってユーザーの指が側縁から離れるときに端末によって予め設定された方式で表示される第1のタスクウィンドウに対応するタスクのインターフェースである。
【０１０９】
本願の第1の適用シナリオにおいて、第2のインターフェースは、スライド操作が終わってユーザーの指が側縁から離れたときに端末によって予め設定された方式で表示される第1のタスクウィンドウに対応するアプリケーションのインターフェースである。具体的に述べると、端末がスライド操作が終わることおよびユーザーの指が側縁から離れることを検出すると、端末はスライド操作が終わってユーザーの指が側縁から離れるときに端末によって予め設定された方式で表示される第1のタスクウィンドウに対応するタスクのインターフェース（すなわち第2のインターフェース）を表示しうる。
【０１１０】
例えば、図7の（a）に示されているように、スライド操作が終わってユーザーの指が側縁から離れるときに、携帯電話機100は「設定」アプリケーションのタスクウィンドウ504を黒色で（すなわち予め設定された方式で）表示する。この場合、図7の（a）に示されているように、スライド操作が終わってユーザーの指が側縁から離れると、携帯電話機100は図7の（b）に示された第2のインターフェース701を表示してもよく、第2のインターフェース701は「設定」アプリケーションのインターフェースである。
【０１１１】
任意選択で、予め設定された方式で表示される第1のタスクウィンドウを表示方式によって第1のインターフェースの中の他のタスクウィンドウから視覚的に区別できるのであれば、本願における予め設定された方式は、前述した「黒色で」を含み、ただしこれに限定されない。
【０１１２】
例えば、図8の（a）に示されているように、携帯電話機100は、第1のインターフェース801において、「設定」アプリケーションのタスクウィンドウ504を左に突出する方式で表示してもよく、これにより、「設定」アプリケーションのタスクウィンドウ504は「WeChat」アプリケーションのタスクウィンドウ505および「ダイヤルアップ」アプリケーションのタスクウィンドウ503と異なる。図8の（a）に示されているように、スライド操作が終わってユーザーの指が側縁から離れると、携帯電話機100は図8の（b）に示された第2のインターフェース802を表示してもよく、第2のインターフェース802は「設定」アプリケーションのインターフェースである。
【０１１３】
任意選択で、端末によって第1のインターフェースで少なくとも1つのタスクウィンドウを表示する方式は、図5から図8に示された垂直配置の表示方式を含み、ただしこれに限定されない。端末は、第1のインターフェースで水平配置の表示方式で少なくとも1つのタスクウィンドウをさらに表示しうる。例えば、携帯電話機100は、ユーザーが図9に示された携帯電話機100を押した後に、携帯電話機100におけるユーザーのプレス操作に応じて、図9に示された第1のインターフェース901を表示しうる。図9に示された第1のインターフェース901は、携帯電話機100によって最近実行されて閉じられていない少なくとも1つのアプリケーションのタスクウィンドウを、例えば、「ダイヤルアップ」アプリケーションのタスクウィンドウ902と、「設定」アプリケーションのタスクウィンドウ903と、「WeChat」アプリケーションのタスクウィンドウ904とを、含む。
【０１１４】
あるいは、携帯電話機100は、ユーザーが図10に示された携帯電話機100を押した後に、携帯電話機100におけるユーザーのプレス操作に応じて、図10に示された第1のインターフェース1001を表示しうる。図10に示された第1のインターフェース1001は、携帯電話機100によって最近実行されて閉じられていない少なくとも1つのアプリケーションのタスクウィンドウを、例えば、「設定」アプリケーションのタスクウィンドウ1002と、「ダイヤルアップ」アプリケーションのタスクウィンドウ1003と、「WeChat」アプリケーションのタスクウィンドウ1004とを、含む。
【０１１５】
任意選択で、本願における第1のインターフェースは、それぞれのタスクウィンドウを閉じる、閉じるボタンをさらに含んでよい。例えば、図10に示されているように、第1のインターフェース1001は、閉じるボタン1005と、閉じるボタン1006と、閉じるボタン1007と、ワンキー閉じるボタン1008とをさらに含みうる。閉じるボタン1005は「設定」アプリケーションのタスクウィンドウ1002を閉じるために使われ、閉じるボタン1006は「ダイヤルアップ」アプリケーションのタスクウィンドウ1003を閉じるために使われ、閉じるボタン1007は「WeChat」アプリケーションのタスクウィンドウ1004を閉じるために使われる。本願では、端末がタスクウィンドウを閉じると、タスクウィンドウに対応するアプリケーションも閉じられる。例えば、携帯電話機100が閉じるボタン1007に対するユーザーのタップ操作に応じて、「WeChat」アプリケーションのタスクウィンドウ1004を閉じるときに、携帯電話機100は「WeChat」アプリケーションも閉じる。ワンキー閉じるボタン1008は、第1のインターフェース1001内の全てのタスクウィンドウと、全てのタスクウィンドウに対応するアプリケーションを閉じるために使われる。例えば、携帯電話機100は、ワンキー閉じるボタン1008に対するユーザーのタップ操作に応じて、「設定」アプリケーションのタスクウィンドウ1002と「設定」アプリケーション、「ダイヤルアップ」アプリケーションのタスクウィンドウ1003と「ダイヤルアップ」アプリケーション、ならびに「WeChat」アプリケーションのタスクウィンドウ1004と「WeChat」アプリケーションを、閉じることができる。
【０１１６】
可能な一設計方法において、端末は、プレス操作の位置に基づいて、端末によって第1のインターフェースで少なくとも1つのタスクウィンドウを表示する表示方式をさらに区別できる。
【０１１７】
プレス操作が端末の左の側縁か右の側縁におけるユーザーの操作である場合、例えば、図5から図8に示されているように、プレス操作が端末の右の側縁におけるユーザーの操作である場合、端末は、図5から図8に示されているように、第1のインターフェースにて垂直配置の表示方式で少なくとも1つのタスクウィンドウを表示しうる。プレス操作が端末の右の側縁におけるユーザーの操作である場合、スライド操作もまた端末の右の側縁におけるユーザーの操作である。タスクウィンドウは垂直配置の表示方式で表示される。スライド操作のスライド位置が変わるにつれ、予め設定された方式で表示される第1のタスクウィンドウが複数のタスクウィンドウの中で切り替えられる過程で、タスクウィンドウの切り替え方向はユーザーの指のスライド方向に一致する。これはユーザーの使用習慣に、より適合する。
【０１１８】
別の一例として、図11（a）および図11（b）に示されているように、プレス操作が端末の上の側縁におけるユーザーの操作である場合、端末は、第1のインターフェースで少なくとも1つのタスクウィンドウを図11（a）および図11（b）に示された水平配置の表示方式で表示しうる。プレス操作が端末の上の側縁におけるユーザーの操作である場合、スライド操作もまた端末の上の側縁におけるユーザーの操作である。タスクウィンドウは水平配置の表示方式で表示される。スライド操作のスライド位置が変わるにつれ、予め設定された方式で表示される第1のタスクウィンドウが複数のタスクウィンドウの中で切り替えられる過程で、タスクウィンドウの切り替え方向はユーザーの指のスライド方向に一致する。これはユーザーの使用習慣に、より適合する。
【０１１９】
勿論、センサーが端末の複数の側縁に配置される場合、プレス操作とスライド操作もまた、センサーが配置された様々な側縁におけるユーザーの操作であり得る。例えば、端末の右の側縁と上の側縁の両方にセンサーが配置される場合、プレス操作は右の側縁におけるユーザーの操作であり得、スライド操作は上の側縁におけるユーザーの操作であり得る。
【０１２０】
本願で提供されるタスク切り替え方法において、端末は、側縁におけるユーザーのプレス操作に応じて、マルチタスクインターフェース（すなわち第1のインターフェース）を表示してもよく、その後、スライド操作に応じて、マルチタスクインターフェースで第1のタスクウィンドウを予め設定された方式で表示してもよく、スライド操作とプレス操作は側縁から離れない指の連続操作である。加えて、スライド操作のスライド位置が変わるにつれ、予め設定された方式で表示される第1のタスクウィンドウは複数のタスクウィンドウの中で切り替えられる。最後に、端末は、スライド操作が終わることおよびユーザーの指が側縁から離れることを検出したことに応じて、スライド操作が終わってユーザーの指が側縁から離れるときに端末によって予め設定された方式で表示される第1のタスクウィンドウに対応するタスクを含むインターフェース（すなわち第2のインターフェース）を表示しうる。
【０１２１】
本願において、端末は、側縁から離れない指の連続操作であるプレス操作とスライド操作とに応じて、「マルチタスクインターフェースを表示する」機能と「アプリケーションの切り替えを行うためマルチタスクインターフェースからタスクウィンドウを選択する」機能を実施してもよく、ユーザーは携帯電話機の異なる位置で操作を2回以上行う必要はない。本願によると、アプリケーションの切り替えにあたってユーザーの操作を減らすことができ、人間と機械の相互作用性能を高めることができ、ユーザーエクスペリエンスを向上させることができる。
【０１２２】
本願の第2の適用シナリオにおいて、端末によって最近実行されて閉じられていないアプリケーションが少なくとも2つある場合、第1のインターフェース内の少なくとも1つのタスクウィンドウは少なくとも2つのアプリケーションのタスクウィンドウであり、あるいは端末によって最近実行されて閉じられていないアプリケーションが第1のアプリケーションのみを含む場合、第1のインターフェース内の少なくとも1つのタスクウィンドウは第1のアプリケーションのアプリケーションタスクのタスクウィンドウであり、本願における第1のアプリケーションとは、端末がプレス操作に応じるときに端末によって実行されているアプリケーションである。
【０１２３】
具体的に述べると、第2の適用シナリオの実装において、端末によって最近実行されて閉じられていないアプリケーションが少なくとも2つある場合、第1のインターフェース内の少なくとも1つのタスクウィンドウは少なくとも2つのアプリケーションのタスクウィンドウである。図12に示されているように、図4に示されたS401はS1201を含んでよい。
【０１２４】
S1201．端末によって最近実行されて閉じられていないアプリケーションが少なくとも2つある場合、端末は、側縁におけるユーザーのプレス操作に応じて、少なくとも2つのアプリケーションのタスクウィンドウを含む第1のインターフェースを表示する。
【０１２５】
それに応じて、この実装において、第1のインターフェースに含まれるタスクウィンドウは少なくとも2つのアプリケーションのタスクウィンドウである。例えば、図5の（c）、図6、図7の（a）、図8の（a）、および図9から図11（b）のいずれか1つに示されているように、第1のインターフェースは、携帯電話機100によって最近実行されて閉じられていない「WeChat」アプリケーションのタスクウィンドウ、「ダイヤルアップ」アプリケーションのタスクウィンドウ、および「設定」アプリケーションのタスクウィンドウを含む。第1のタスクウィンドウは少なくとも2つのアプリケーションのいずれか1つのタスクウィンドウである。第2のインターフェースは、スライド操作が終わってユーザーの指が側縁から離れるときに端末によって予め設定された方式で表示される第1のタスクウィンドウに対応するアプリケーションのインターフェースである。例えば、図7の（b）または図8の（b）に示されているように、第2のインターフェースは「設定」アプリケーションのインターフェースである。
【０１２６】
第2の適用シナリオの別の実装において、端末によって最近実行されて閉じられていないアプリケーションが第1のアプリケーションのみを含む場合、第1のインターフェース内の少なくとも1つのタスクウィンドウは第1のアプリケーションのアプリケーションタスクのタスクウィンドウである。図12に示されているように、図4に示されたS401はS1202をさらに含んでよい。
【０１２７】
S1202．端末によって最近実行されて閉じられていないアプリケーションが第1のアプリケーションのみを含む場合、端末は、側縁におけるユーザーのプレス操作に応じて、第1のアプリケーションのアプリケーションタスクのタスクウィンドウを含む第1のインターフェースを表示し、第1のアプリケーションは、端末がプレス操作に応じるときに端末によって実行されているアプリケーションである。
【０１２８】
本願における第1のアプリケーションは、端末内の組み込みアプリケーションプログラム（すなわち、端末内のシステムアプリケーション）であってよく、あるいはダウンロードできるアプリケーションプログラムであってよい。組み込みアプリケーションプログラムは、端末（携帯電話機100など）の実装の一部として提供されるアプリケーションプログラムであり、例えば「設定」アプリケーションや「ブラウザ」アプリケーションである。ダウンロードできるアプリケーションプログラムは、アプリケーションプログラムのインターネットプロトコルマルチメディアサブシステム（Internet Protocol Multimedia Subsystem、IMS）接続を提供しうるアプリケーションプログラムである。ダウンロードできるアプリケーションプログラムは、端末にあらかじめインストールされるアプリケーションであってよく、あるいはユーザーによって端末にダウンロードされインストールされるサードパーティアプリケーションであってよく、例えば「WeChat」アプリケーションや「アリペイ」アプリケーションであってよい。
【０１２９】
この実装において、第1のインターフェースに含まれるタスクウィンドウは、第1のアプリケーションの少なくとも1つのアプリケーションタスクのタスクウィンドウである。例えば、携帯電話機100によって最近実行されて閉じられていないアプリケーションが「ブラウザ」アプリケーション（すなわち第1のアプリケーション）のみを含むと仮定する。携帯電話機は、図13の（a）または図13の（b）に示された携帯電話機100の側縁におけるユーザーのプレス操作に応じて、図13の（c）に示された第1のインターフェース1303を表示しうる。携帯電話機100が、「ブラウザ」アプリケーションを実行しているときに、「ブラウザ」アプリケーションの2つのウェブページウィンドウ（すなわちアプリケーションタスクウィンドウ）を開くと仮定する。図13の（c）に示されているように、第1のインターフェース1303は、ウェブページ1のウェブページウィンドウ1304とホームページのウェブページウィンドウ1305とを含む。
【０１３０】
それに応じて、第1のタスクウィンドウは第1のアプリケーションのアプリケーションタスクのタスクウィンドウである。例えば、携帯電話機100はS403を行い、スライド操作に応じて予め設定された方式で（例えば黒色で）表示される第1のタスクウィンドウは、図13の（d）に示された「ブラウザ」アプリケーションにおけるウェブページ1のウェブページウィンドウ1303である。加えて、第2のインターフェースは、スライド操作が終わってユーザーの指が側縁から離れるときに端末によって予め設定された方式で表示される第1のタスクウィンドウに対応するアプリケーションタスクのインターフェースである。例えば、図14の（b）に示されているように、スライド操作が終わることおよびユーザーの指が側縁から離れることを検出したことに応じて携帯電話機100によって表示される第2のインターフェース1401は、図14の（a）に示されたスライド操作が終わってユーザーの指が側縁から離れるときに携帯電話機によって黒色で表示されるウェブページ1のウェブページウィンドウ1303のインターフェースである。
【０１３１】
なお、第2の適用シナリオにおいて、端末によって最近実行されて閉じられていないアプリケーションが第1のアプリケーションのみを含む場合、端末が図13の（b）に示された端末のデスクトップ1302を現在表示しているか、図13の（a）に示された「ブラウザ」アプリケーションのインターフェース1301（すなわち、第1のアプリケーションのインターフェース）を現在表示しているかにかかわらず、端末は、側縁におけるユーザーのプレス操作に応じて、第1のアプリケーションのアプリケーションタスクのタスクウィンドウを含む第1のインターフェース（図13の（c）に示された第1のインターフェース1303など）を表示しうる。
【０１３２】
なお、本願における第1のアプリケーションは、「ブラウザ」アプリケーションを含み、ただしこれに限定されない。第1のアプリケーションは端末内のいずれかのアプリケーションであってよい。例えば、第1のアプリケーションは端末内の「連絡先」アプリケーションであってよい。例えば、図15に示されているように、携帯電話機は、図15の（a）または図15の（b）に示された携帯電話機100の側縁におけるユーザーのプレス操作に応じて、図15の（c）に示された第1のインターフェース1503を表示しうる。携帯電話機100が「連絡先」アプリケーションを実行するときに、最近の連絡先がAaronと張三とBenとを含むと仮定する。図15の（c）に示されているように、第1のインターフェース1503は、Aaronの連絡先ウィンドウ1504と、張三の連絡先ウィンドウ1505と、Benの連絡先ウィンドウ1506とを含む。
【０１３３】
なお、端末は、端末が現在表示している第1のアプリケーションのインターフェースに関わりなく、側縁におけるユーザーのプレス操作に応じて、第1のアプリケーションのアプリケーションタスクのタスクウィンドウを含む第1のインターフェースを表示しうる。例えば、携帯電話機が図15の（a）に示された連絡先リストインターフェース1501（すなわち、「連絡先」アプリケーションのインターフェース）を現在表示してるか、図15の（b）に示された連絡先リストインターフェース1502（すなわち、「連絡先」アプリケーションのインターフェース）を現在表示しているかにかかわらず、端末は、側縁におけるユーザーのプレス操作に応じて、「連絡先」アプリケーションの連絡先ウィンドウを含む第1のインターフェース（図15の（c）に示された第1のインターフェース1503など）を表示しうる。
【０１３４】
任意選択で、図15に示された第1のインターフェース1503において、表示される第1の連絡先ウィンドウ（すなわち、Benの連絡先ウィンドウ1506）は他の連絡先ウィンドウ（Aaronの連絡先ウィンドウ1504と張三の連絡先ウィンドウ1505）と異なってよい。
【０１３５】
なお、本願において、端末によって第1のインターフェースで第1のアプリケーションのアプリケーションタスクのタスクウィンドウを表示する方式については、前述した実施形態で端末によって第1のインターフェースで複数のアプリケーションのタスクウィンドウを表示する具体的な方式を参照できる。本願では詳細をここで繰り返し説明しない。
【０１３６】
本願において、端末は、側縁を離れない指の連続操作であるプレス操作とスライド操作とに応じて、アプリケーションの切り替えを実施しうるばかりでなく、1つのアプリケーションの中で複数のアプリケーションタスクの切り替えをも実施しうる。具体的に述べると、本願によると、1つのアプリケーションのアプリケーションタスクを切り替えるユーザーの操作を減らすこともでき、人間と機械の相互作用性能を高めることができ、ユーザーエクスペリエンスを向上させることができる。
【０１３７】
本願の第3の適用シナリオにおいて、端末は、端末によって現在表示されているインターフェースを使用して、第1のインターフェースに複数のアプリケーションのタスクウィンドウを表示するか、それとも第1のアプリケーションの複数のアプリケーションタスクのタスクウィンドウを表示するかを判断できる。具体的に述べると、端末が端末のデスクトップを現在表示している場合、端末は第1のインターフェースで複数のアプリケーションのタスクウィンドウを表示する。具体的に述べると、図16に示されているように、S401はS1601に差し替えられてよい。
【０１３８】
S1601．端末が端末のデスクトップを現在表示している場合、端末は、側縁におけるユーザーのプレス操作に応じて、端末によって最近実行されて閉じられていない少なくとも1つのアプリケーションのタスクウィンドウを含む第1のインターフェースを表示する。
【０１３９】
第3の適用シナリオにおいて、第1のインターフェースに含まれるタスクウィンドウは少なくとも2つのアプリケーションのタスクウィンドウである。例えば、図5の（c）に示されているように、第1のインターフェースは、携帯電話機100によって最近実行されて閉じられていない「WeChat」アプリケーションのタスクウィンドウと、「ダイヤルアップ」アプリケーションのタスクウィンドウと、「設定」アプリケーションのタスクウィンドウとを含む。第1のタスクウィンドウは少なくとも2つのアプリケーションのいずれか1つのタスクウィンドウである。第2のインターフェースは、スライド操作が終わってユーザーの指が側縁から離れるときに端末によって予め設定された方式で表示される第1のタスクウィンドウに対応するアプリケーションのインターフェースである。例えば、図7の（b）に示されているように、第2のインターフェースは「設定」アプリケーションのインターフェースである。
【０１４０】
端末が端末のデスクトップを現在表示している場合、端末によって最近実行されて閉じられていないアプリケーションが第1のアプリケーションのみを含む場合でも、端末が、側縁におけるユーザーのプレス操作に応じて、第1のアプリケーションのタスクウィンドウを含む第1のインターフェースを専ら表示しうることを強調するべきである。例えば、図5の（b）に示されているように、携帯電話機100が端末のデスクトップ502を現在表示している場合、携帯電話機100は側縁におけるユーザーのプレス操作に応じて、図5の（c）に示された第1のインターフェース503を表示しうるが、第1のアプリケーションのアプリケーションタスクのタスクウィンドウを含む第1のインターフェースは表示できない。例えば、図13の（b）に示されているように、携帯電話機100が端末のデスクトップ1302を現在表示している場合、携帯電話機100は、側縁におけるユーザーのプレス操作に応じて、図13の（c）に示された第1のインターフェース503を表示できず、図17に示された第1のインターフェース1701を専ら表示しうる。
【０１４１】
なお、本願において、端末が、端末のデスクトップを、例えば図13の（b）か図5の（b）に示されたデスクトップを、現在表示しておらず、端末内の第1のアプリケーション（端末内のいずれかのアプリケーション）のインターフェースを、例えば図13の（a）に示された「ブラウザ」アプリケーションのインターフェースを、または図5の（a）に示された「WeChat」アプリケーションのインターフェースを、表示している場合、端末は、本願の第2の適用シナリオのS1201またはS1202を行い、対応する第1のインターフェースを表示してもよい。
【０１４２】
本願において、端末が端末のデスクトップを現在表示している場合、端末は側縁におけるユーザーのプレス操作に応じて、1つ以上のアプリケーションのタスクウィンドウを含む第1のインターフェースを表示してもよく、その後、端末は、スライド操作に応じて、アプリケーションの切り替えを実施してもよく、プレス操作とスライド操作は側縁から離れない指の連続操作である。具体的に述べると、本願によると、アプリケーションの切り替えにあたってユーザーの操作を減らすことができ、人間と機械の相互作用性能を高めることができ、ユーザーエクスペリエンスを向上させることができる。
【０１４３】
本願の第4の適用シナリオにおいて、端末は、端末の側縁におけるプレス操作の位置に基づいて、第1のインターフェースに複数のアプリケーションのタスクウィンドウを表示するか、それとも第1のアプリケーションの複数のアプリケーションタスクのタスクウィンドウを表示するかを判断しうる。
【０１４４】
具体的に述べると、プレス操作が側縁の第1の位置におけるユーザーのプレス操作であるならば、第1のインターフェース内の少なくとも1つのタスクウィンドウは、端末によって最近実行されて閉じられていない1つ以上のアプリケーションのタスクウィンドウであり、あるいはプレス操作が側縁の第2の位置におけるユーザーのプレス操作であるなら、第1のインターフェース内の少なくとも1つのタスクウィンドウは、第1のアプリケーションの1つ以上のアプリケーションタスクのタスクウィンドウである。
【０１４５】
なお、本願における第1の位置と第2の位置は、端末の同一側縁の2つの異なる位置であってよい。例えば、図18に示されているように、第1の位置1801と第2の位置1802は、携帯電話機100の右の側縁の2つの異なる位置であってよい。あるいは、第1の位置と第2の位置は、端末の2つの異なる側縁にあってよい。例えば、図19に示されているように、第1の位置1901は携帯電話機100の右の側縁に配置されえ、第2の位置は携帯電話機100の上の側縁に配置され得る。
【０１４６】
具体的に述べると、第4の適用シナリオでは、図20に示されているように、図4に示されたS401がS2001を含んでよい。
【０１４７】
S2001．端末は、プレス操作が側縁の第1の位置におけるユーザーのプレス操作である場合、側縁におけるユーザーのプレス操作に応じて、端末によって最近実行されて閉じられていない少なくとも1つのアプリケーションのタスクウィンドウを含む第1のインターフェースを表示する。
【０１４８】
端末が側縁の第1の位置（例えば、図19に示された右の側縁の第1の位置1901）におけるユーザーのプレス操作を検出する限り、端末が、端末内のいずれかのアプリケーションのインターフェース（例えば、図5の（a）に示された「WeChat」アプリケーションのインターフェース501）を現在表示しているか、端末が、端末のデスクトップ（例えば、図5の（b）に示された端末のデスクトップ502）を現在表示しているかにかかわらず、また、端末によって最近実行されて閉じられていない1つ以上のアプリケーションにかかわらず、端末は、側縁におけるユーザーのプレス操作に応じて、端末によって最近実行されて閉じられていない少なくとも1つのアプリケーションのタスクウィンドウを含む第1のインターフェース（例えば、図5の（c）に示された第1のインターフェース503）を表示しうることが理解されうる。
【０１４９】
第4の適用シナリオでは、図20に示されているように、図4に示されたS401がS2002をさらに含んでよい。
【０１５０】
S2002．端末は、プレス操作が側縁の第2の位置におけるユーザーのプレス操作である場合、側縁におけるユーザーのプレス操作に応じて、第2のアプリケーションのアプリケーションタスクのタスクウィンドウを含む第1のインターフェースを表示し、第2のアプリケーションは、端末によって最近実行されて閉じられていない少なくとも1つのアプリケーションが実行時間の昇順で並べられた後の最後のアプリケーションである。
【０１５１】
端末が側縁の第2の位置（例えば、図19に示された上の側縁の第2の位置1902）におけるユーザーのプレス操作を検出する限り、端末が、いずれかのアプリケーションのインターフェース（例えば、図21の（a）に示された「ブラウザ」アプリケーションのインターフェース2101）を現在表示しているか、あるいは端末が、端末のデスクトップ（例えば、図21の（b）に示された端末のデスクトップ2102）を現在表示しているかにかかわらず、また、端末によって最近実行されて閉じられていない1つ以上のアプリケーションにかかわらず、端末は、側縁におけるユーザーのプレス操作に応じて、第2のアプリケーションのアプリケーションタスクのタスクウィンドウを含む第1のインターフェース（例えば、図21の（c）に示された第1のインターフェース2103）を表示しうることが理解されうる。
【０１５２】
ある場合において、端末が、アプリケーションのインターフェースを、例えば図21の（a）に示された「ブラウザ」アプリケーションのインターフェース2101を、現在表示しているならば、端末によって現在実行されているアプリケーション（「ブラウザ」アプリケーションなど）は第2のアプリケーションである。
【０１５３】
別の場合において、端末が、端末のデスクトップを、例えば図21の（b）に示された端末のデスクトップ2102を、現在表示しているならば、第2のアプリケーションは、端末によって最近実行されて閉じられていない少なくとも1つのアプリケーションが実行時間の昇順で並べられた後の最後のアプリケーションである。例えば、携帯電話機100によって最近実行されて閉じられていない少なくとも1つのアプリケーションが、「ブラウザ」アプリケーションと、「WeChat」アプリケーションと、「設定」アプリケーションとを含み、「ブラウザ」アプリケーションの最近の実行時間が2017年9月28日の14：20であり、「WeChat」アプリケーションの最近の実行時間が2017年9月28日の10：25であり、「設定」アプリケーションの最近の実行時間が2017年9月28日の12：36であると仮定する。この場合、第2のアプリケーションは「ブラウザ」アプリケーションである。
【０１５４】
本願において、端末は、プレス操作の位置に基づいて、複数のアプリケーションのマルチタスクインターフェースを表示することを、または1つのアプリケーションの複数のアプリケーションタスクのマルチタスクインターフェースを表示することを、端末に命令するために、プレス操作が使われているかどうかを区別できる。こうして、端末は、側縁を離れない指の連続操作であるプレス操作とスライド操作とに応じて、アプリケーションの切り替えを実施しうるばかりでなく、1つのアプリケーションの中で複数のアプリケーションタスクの切り替えも実施しうる。具体的に述べると、本願によると、1つのアプリケーションのアプリケーションタスクを切り替えるユーザーの操作を減らすこともでき、人間と機械の相互作用性能を高めることができ、ユーザーエクスペリエンスを向上させることができる。
【０１５５】
前述した機能を実装するため、端末が、それらの機能を行う対応するハードウェア構造および／またはソフトウェアモジュールを含むことが理解されうる。当業者は、本明細書で開示されている実施形態で説明されている例に結び付けて、ユニットやアルゴリズムステップを、ハードウェアによって、またはハードウェアとコンピュータソフトウェアとの組み合わせによって、実装しうることに、容易に気づくはずである。機能がハードウェアによって行われるか、それともコンピュータソフトウェアによって駆動されるハードウェアによって行われるかは、技術的解決手段の具体的な用途と設計上の制約しだいで決まる。当業者であれば具体的な用途ごとに説明されている機能を様々な方法で実装しうるが、そのような実装は本発明の実施形態の範囲を超えるものとみなすべきではない。
【０１５６】
本願の実施形態において、端末などの中の機能モジュールは前述した方法の例に基づき定義されうる。例えば、それぞれの機能モジュールは各機能に対応して定義でき、あるいは2つ以上の機能を1つの処理モジュールに統合することもできる。統合されたモジュールはハードウェアの形で実装されてよく、あるいはソフトウェア機能モジュールの形で実装されてもよい。本発明の実施形態におけるモジュールの分割が一例であり、論理的な機能分割に過ぎないことに注意されたい。実際の実装では別の分割方式を用いることもできる。
【０１５７】
それぞれの機能モジュールが各機能に対応して定義される場合、本願はタスク切り替え装置を提供し、このタスク切り替え装置は本願で提供される端末に含まれ、タスク切り替え装置は、検出ユニット2201と、処理ユニット2202と、表示ユニット2203とを含む。
【０１５８】
検出ユニット2201は、前述した方法の実施形態でS401およびS401aの「側縁におけるユーザーのプレス操作を検出すること」、S402およびS404の「スライド操作が終わることおよびユーザーの指が側縁から離れることを検出すること」、S2201の「側縁の第1の位置におけるユーザーのプレス操作を検出すること」、ならびにS2202の「側縁の第2の位置におけるユーザーのプレス操作を検出すること」を行うにあたってタスク切り替え装置を支援するように構成されている、および／または本明細書に記載された技術の他のプロセスで使用される。
【０１５９】
処理ユニット2202は、少なくとも1つのタスクを実行するにあたってタスク切り替え装置を支援するように構成されており、少なくとも1つのタスクは、最近実行されて閉じられていない最後に1つのアプリケーション、または第1のアプリケーションか第2のアプリケーションの少なくとも1つのアプリケーションタスクである。
【０１６０】
表示ユニット2203は、前述した方法の実施形態でS401、S401a、S403、S404、S1201、S1202、S1601、S2001、およびS2002を行うにあたってタスク切り替え装置を支援するように構成されている、および／または本明細書に記載された技術の他のプロセスで使用される。
【０１６１】
さらに、タスク切り替え装置は記憶ユニットをさらに含んでよい。記憶ユニットは、方法の実施形態で第1のインターフェースと第2のインターフェースとに関係するデータを記憶するにあたってタスク切り替え装置を支援するように構成されている、および／または本明細書に記載された技術の他のプロセスで使用される。
【０１６２】
タスク切り替え装置は本願で提供される端末に含まれてよい。具体的に述べると、本願は端末を提供する。図22は、前述した実施形態における端末の可能な概略構造図である。端末2200は、検出ユニット2201と、処理ユニット2202と、表示ユニット2203とを含む。
【０１６３】
検出ユニット2201、処理ユニット2202、および表示ユニット2203の支援を得て端末によって行われる方法のステップについては、本願のタスク切り替え装置内の各機能ユニットの支援を得てタスク切り替え装置によって行われる方法のステップに関する詳しい説明を参照されたい。本願では詳細をここで繰り返し説明しない。
【０１６４】
さらに、端末2200は記憶ユニットをさらに含んでよい。記憶ユニットの支援を得て端末によって行われる方法のステップについては、本願のタスク切り替え装置内の記憶ユニットの支援を得てタスク切り替え装置によって行われる方法のステップに関する詳しい説明を参照されたい。本願では詳細をここで繰り返し説明しない。
【０１６５】
前述した方法の実施形態におけるステップの関連内容はいずれも、対応する機能モジュールの機能の説明に引用できる。ここでは詳細を繰り返し説明しない。
【０１６６】
勿論、タスク切り替え装置と端末2200は、上記のユニットおよびモジュールを含み、ただしこれらに限定されない。例えば、端末2200は通信ユニットをさらに含んでよく、通信ユニットは別の端末と通信するように構成される。加えて、機能ユニットが具体的に実行できる機能は、前述した例の方法のステップに対応する機能を含み、ただしこれらに限定されない。端末2200の他のユニットに関する詳しい説明については、ユニットに対応する方法のステップに関する詳しい説明を参照されたい。本願の本実施形態では詳細をここで繰り返し説明しない。
【０１６７】
統合されたユニットが使われる場合、検出ユニット2201や処理ユニット2202などは、実装のため1つの処理モジュールに統合されてよく、通信ユニットは、端末のRF回路、Wi−Fiモジュール、またはBluetoothモジュールであってよく、記憶ユニットは端末の記憶モジュールであってよく、表示ユニット2203は表示モジュールであってよく、例えばタッチスクリーンであってよい。
【０１６８】
図23は、前述した実施形態における端末の可能な概略構造図である。端末2300は、処理モジュール2301と、記憶モジュール2302と、表示モジュール2303と、感知モジュール2304とを含む。感知モジュール2304は、端末の側縁におけるユーザーのプレス操作とスライド操作を検出するように構成されている。処理モジュール2301は、感知モジュール2304によって検出されるユーザーの操作を制御および管理するように構成されている。表示モジュール2303は、処理モジュール2301によって生成される画像を表示するように構成されている。記憶モジュール2302は、端末のプログラムコードとデータを記憶するように構成されている。
【０１６９】
さらに、端末2300は通信モジュールをさらに含んでよい。通信モジュールは、別の端末と通信するように構成されている。例えば、通信モジュールは、別の端末と音声通信を行い、なおかつ別の端末からプロフィール画像を受信し、または別の端末へプロフィール画像を送信するように、構成されている。
【０１７０】
処理モジュール2301はプロセッサかコントローラであってよく、例えば中央処理装置（Central Processing Unit、CPU）、汎用プロセッサ、デジタル信号プロセッサ（Digital Signal Processor、DSP）、特定用途向け集積回路（Application−Specific Integrated Circuit、ASIC）、フィールドプログラマブルゲートアレイ（Field Programmable Gate Array、FPGA）、または他のプログラマブル論理デバイス、トランジスタ論理デバイス、ハードウェアコンポーネント、またはこれらの組み合わせであってよい。コントローラ／プロセッサは、本発明で開示されている内容を参照しながら説明されている様々な例示的な論理ブロック、モジュール、および回路を実行すること、または行うことができる。あるいは、プロセッサは計算機能を実行するプロセッサの組み合わせであってよく、例えば1つ以上のマイクロプロセッサの組み合わせであってよく、あるいはDSPとマイクロプロセッサとの組み合わせであってよい。通信モジュールは、トランシーバ、トランシーバ回路、通信インターフェースなどであってよい。記憶モジュール2302はメモリーであってよい。感知モジュール2304はセンサーであってよい。
【０１７１】
処理モジュール2301がプロセッサ（図2に示されたプロセッサ201など）であり、通信モジュールがRF回路（図2に示された高周波回路202など）であり、記憶モジュール2302がメモリー（図2に示されたメモリー203など）であり、表示モジュール2303がタッチスクリーン（図2に示されたタッチパッド204−1とディスプレイ204−2とを含む）であり、感知モジュール2304がセンサー（図2に示されたセンサー206など）である場合、本願で提供される端末は図2に示された携帯電話機100であってよい。通信モジュールは、RF回路のみならず、Wi−FiモジュールとBluetoothモジュールをも含み得る。RF回路やWi−FiモジュールやBluetoothモジュールなどの通信モジュールは、通信インターフェースと総称されることもある。プロセッサと通信インターフェースとタッチスクリーンとメモリーは、バスを使って共に結合されてよい。
【０１７２】
図5から図11（b）、図13から図15、図17、および図21のいずれか1つを参照し、本願の一実施形態はグラフィカルユーザーインターフェース（GUI）をさらに提供し、グラフィカルユーザーインターフェースは端末に記憶される。端末は、タッチスクリーンと、メモリーと、プロセッサと、端末の側縁に設けられたセンサーとを含んでおり、センサーは、側縁におけるユーザーの操作を検出するように構成されており、プロセッサは、メモリーに記憶された1つ以上のコンピュータプログラムを実行するように構成されている。
【０１７３】
具体的に述べると、本願の第1の適用シナリオにおいて、グラフィカルユーザーインターフェースは、
図5の（c）、図9、図10、図11（a）、図13の（c）、または図15の（c）のいずれか1つに示されているように、側縁におけるプレス操作に応じてタッチスクリーンに表示される第1のGUIであって、第1のGUIは第1のインターフェースを含んでおり、第1のインターフェースは少なくとも1つのタスクウィンドウを含み、少なくとも1つのタスクウィンドウはプロセッサによって最近実行されて閉じられていない少なくとも1つのタスクに対応する、第1のGUIと、
図5の（d）、図6、または図11（b）のいずれか1に示されているように、側縁におけるスライド操作に応じてタッチスクリーンに表示される第2のGUIであって、スライド操作とプレス操作は側縁から離れないユーザーの指の連続操作であり、第2のGUIには第1のタスクウィンドウが予め設定された方式で表示され、第1のタスクウィンドウは少なくとも1つのタスクウィンドウのいずれか1つであり、少なくとも1つのタスクウィンドウが複数のタスクウィンドウを含む場合、スライド操作のスライド位置が変わるにつれ、第2のGUIに予め設定された方式で表示される第1のタスクウィンドウが複数のタスクウィンドウの中で切り替えられる、第2のGUIと、
図7、図8、または図14のいずれか1つの（b）に示されているように、スライド操作が終わってユーザーの指が側縁から離れたことに応じてタッチスクリーンに表示される第3のGUIであって、第3のGUIは第2のインターフェースを含んでおり、第2のインターフェースは、スライド操作が終わってユーザーの指が側縁から離れるときに、図7、図8、または図14の（a）に示されているように、第2のGUIに予め設定された方式で表示される第1のタスクウィンドウに対応するタスクのインターフェースである、第3のGUIとを、含む。
【０１７４】
可能な一実装において、第2のGUI内の第1のタスクウィンドウは、プロセッサによって最近実行されて閉じられていない少なくとも1つのアプリケーションのいずれか1つのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションのインターフェースである。
【０１７５】
別の可能な一実装において、第1のGUI内の第1のインターフェースは、プロセッサによって最近実行されて閉じられていない少なくとも2つのアプリケーションのタスクウィンドウを具体的に含む。図5の（d）、図6、または図11（b）のいずれか1つに示されているように、第2のGUI内の第1のタスクウィンドウは、少なくとも2つのアプリケーションのいずれか1つのタスクウィンドウである。第3のGUI内の第2のインターフェースは、スライド操作が終わってユーザーの指が側縁から離れるときに第2のGUIに予め設定された方式で表示される第1のタスクウィンドウに対応するアプリケーションのインターフェースである。
【０１７６】
例えば、図5の（c）、図9、図10、または図11（a）のいずれか1つに示されているように、第1のGUI内の第1のインターフェースは、プロセッサによって最近実行されて閉じられていない少なくとも2つのアプリケーションのタスクウィンドウを具体的に含む。図5の（d）、図6、または図11（b）のいずれか1つに示されているように、第2のGUI内の第1のタスクウィンドウは、少なくとも2つのアプリケーションのいずれか1つのタスクウィンドウである。図7または図8の（b）に示されているように、第3のGUI内の第2のインターフェースは、スライド操作が終わってユーザーの指が側縁から離れるときに、図7または図8の対応する図面の（a）に示されているように、第2のGUIに予め設定された方式で表示される第1のタスクウィンドウに対応するアプリケーションのインターフェースである。
【０１７７】
別の可能な一実装において、プロセッサによって最近実行されて閉じられていないアプリケーションが第1のアプリケーションのみを含む場合、第1のGUI内の第1のインターフェースは、具体的には、第1のアプリケーションの1つ以上のアプリケーションタスクのタスクウィンドウを含む第1のインターフェースであり、第1のアプリケーションは端末内のいずれかのアプリケーションであり、第2のGUI内の第1のタスクウィンドウは、第1のアプリケーションのアプリケーションタスクのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションタスクのインターフェースである。
【０１７８】
例えば、図13の（c）に示されているように、第1のGUI内の第1のインターフェースは、具体的には、第1のアプリケーションの1つ以上のアプリケーションタスクのタスクウィンドウを含む第1のインターフェースであり、第1のアプリケーションは端末内のいずれかのアプリケーションである。図13の（d）に示されているように、第2のGUI内の第1のタスクウィンドウは、第1のアプリケーションのアプリケーションタスクのタスクウィンドウである。図14の（b）に示されているように、第3のGUI内の第2のインターフェースは、スライド操作が終わってユーザーの指が側縁から離れるときに、図14の（a）に示されているように、第2のGUIに予め設定された方式で表示される第1のタスクウィンドウに対応するアプリケーションタスクのインターフェースである。
【０１７９】
別の可能な一実装において、タッチスクリーンが端末のデスクトップを表示する場合、側縁におけるプレス操作に応じてタッチスクリーンに表示される第1のGUI内の第1のインターフェースは、プロセッサによって最近実行されて閉じられていない少なくとも1つのアプリケーションのタスクウィンドウを含み、第2のGUI内の第1のタスクウィンドウは、端末によって最近実行されて閉じられていない少なくとも1つのアプリケーションのいずれか1つのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションのインターフェースである。
【０１８０】
例えば、図5の（b）に示されているように、携帯電話機100が端末のデスクトップ502を現在表示している場合、第1のGUIは、図5の（c）に示されているように、プロセッサによって最近実行されて閉じられていない少なくとも1つのアプリケーションのタスクウィンドウを含む第1のインターフェースを含む。それに応じて、図7または図8の（b）に示されているように、第3のGUI内の第2のインターフェースは、スライド操作が終わってユーザーの指が側縁から離れるときに、図7または図8の対応する図面の（a）に示されているように、第2のGUIに予め設定された方式で表示される第1のタスクウィンドウに対応するアプリケーションのインターフェースである。
【０１８１】
別の可能な一実装において、側縁の第1の位置におけるプレス操作に応じてタッチスクリーンに表示される第1のGUI内の第1のインターフェースは、端末によって最近実行されて閉じられていない少なくとも1つのアプリケーションのタスクウィンドウを含む。
【０１８２】
例えば、第1の位置が図19に示された右の側縁の第1の位置1901であると仮定すると、第1のGUIは、図5の（c）に示されているように、プロセッサによって最近実行されて閉じられていない少なくとも1つのアプリケーションのタスクウィンドウの第1のインターフェースを含む。それに応じて、図7または図8の（b）に示されているように、第3のGUI内の第2のインターフェースは、スライド操作が終わってユーザーの指が側縁から離れるときに、図7または図8の対応する図面の（a）に示されているように、第2のGUIに予め設定された方式で表示される第1のタスクウィンドウに対応するアプリケーションのインターフェースである。
【０１８３】
別の可能な一実装において、側縁の第2の位置におけるプレス操作に応じてタッチスクリーンに表示される第1のGUI内の第1のインターフェースは、第2のアプリケーションのアプリケーションタスクのタスクウィンドウを含み、第2のアプリケーションは、タッチスクリーンによって最近実行されて閉じられていない少なくとも1つのアプリケーションが実行時間の昇順で並べられた後の最後のアプリケーションであり、第2のGUI内の第1のタスクウィンドウは、第2のアプリケーションのアプリケーションタスクのタスクウィンドウであり、第3のGUI内の第2のインターフェースは、スライド操作が終わってユーザーの指が側縁から離れるときに第2のGUIに予め設定された方式で表示される第1のタスクウィンドウに対応するアプリケーションタスクのインターフェースである。
【０１８４】
例えば、第2の位置が図19に示された右の側縁の第2の位置1902であると仮定すると、図21の（c）に示されているように、第1のGUI内の第1のインターフェースは、具体的には、第1のアプリケーションの1つ以上のアプリケーションタスクのタスクウィンドウを含む第1のインターフェースであり、第1のアプリケーションは端末内のいずれかのアプリケーションである。図13の（d）に示されているように、第2のGUI内の第1のタスクウィンドウは、第1のアプリケーションのアプリケーションタスクのタスクウィンドウである。図14の（b）に示されているように、第3のGUI内の第2のインターフェースは、スライド操作が終わってユーザーの指が側縁から離れるときに、図14の（a）に示されているように、第2のGUIに予め設定された方式で表示される第1のタスクウィンドウに対応するアプリケーションタスクのインターフェースである。
【０１８５】
本願はコンピュータ記憶媒体をさらに提供し、コンピュータ記憶媒体はコンピュータプログラムコードを記憶し、前述したプロセッサがコンピュータプログラムコードを実行すると、端末は、前述した実施形態のタスク切り替え方法を実施するため、図4、図12、図16、および図20のいずれか1つの関連する方法のステップを行う。
【０１８６】
本願はコンピュータプログラム製品をさらに提供し、コンピュータプログラム製品がコンピュータで実行されると、コンピュータは、前述した実施形態のタスク切り替え方法を実施するため、図4、図12、図16、および図20のいずれか1つの関連する方法のステップを行うことが可能となる。
【０１８７】
本願で提供される端末2200、端末2300、コンピュータ記憶媒体、およびコンピュータプログラム製品はいずれも、上記の対応する方法を行うように構成される。したがって、端末、コンピュータ記憶媒体、およびコンピュータプログラム製品が達成できる有益な効果については、上記の対応する方法の有益な効果を参照されたい。ここでは詳細を繰り返し説明しない。
【０１８８】
実装に関する上記の説明は、簡潔な説明の目的で、前述の機能モジュールの分割が説明のための一例として使われているに過ぎないことを、当業者が明確に理解することを可能にする。実際の適用では、前述の機能を要求に基づいて異なる機能モジュールに割り当てて実行することができ、すなわち、上述した機能の全部または一部を実行するため、装置の内部構造は異なる機能モジュールに分割される。前述したシステムと装置とユニットの詳しい作業プロセスについては、前述した方法の実施形態の対応するプロセスを参照すること、そしてここでは詳細を繰り返し説明しない。
【０１８９】
本願で提供されるいくつかの実施形態において、開示されているシステムと装置と方法を別のやり方で実装しうることを理解するべきである。例えば、説明されている装置の実施形態は一例に過ぎない。例えば、モジュールやユニットの分割は論理的な機能分割に過ぎず、実際の実装では別の分割であってもよい。例えば、複数のユニットやコンポーネントが別のシステムに組み合わされ、または統合されてもよく、一部の機能は無視されてもよく、あるいは行われなくてもよい。加えて、表示もしくは論述されている相互結合または直接的結合または通信接続は、何らかのインターフェースを使って実現されてよい。装置またはユニット間の間接的結合や通信接続は、電子的形態、機械的形態、または他の形態で実現されてよい。
【０１９０】
単独の部分として説明されているユニットは物理的に単独であってもなくてもよく、ユニットとして表示されている部分は物理的なユニットであってもなくてもよく、1箇所に配置されてもよく、複数のネットワークユニットに分散されてもよい。実施形態の解決手段の目的を達成するため、ユニットの一部または全部が実際の要求に基づいて選ばれてよい。
【０１９１】
加えて、本願の実施形態の機能ユニットは1つの処理ユニットに統合されてよく、あるいはそれぞれのユニットが物理的に単独で存在してもよく、あるいは2つ以上のユニットが1つのユニットに統合されてもよい。統合されたユニットはハードウェアの形で実装されてよく、あるいはソフトウェア機能ユニットの形で実装されてもよい。
【０１９２】
統合されたユニットがソフトウェア機能ユニットの形で実装され、独立した製品として販売もしくは使用される場合、統合されたユニットはコンピュータ可読記憶媒体に記憶されてよい。このような理解に基づき、本願の技術的解決手段は本質的に、あるいは先行技術に寄与する部分は、あるいは技術的解決手段の全部または一部は、コンピュータソフトウェア製品の形で実装されてよい。コンピュータソフトウェア製品は記憶媒体に記憶され、本願の実施形態で説明されている方法のステップの全部または一部を行うことをコンピュータデバイス（パーソナルコンピュータ、サーバー、ネットワークデバイスなどであってよい）に命じるいくつかの命令を含む。記憶媒体は、フラッシュメモリー、リムーバブルハードディスク、読み取り専用メモリー、ランダムアクセスメモリー、磁気ディスク、または光ディスクなど、プログラムコードを記憶できる何らかの媒体を含む。
【０１９３】
上記の説明は本願の特定の実装に過ぎず、本願の保護範囲を制限することを意図するものではない。本願で開示される技術的範囲内で当業者によって容易に考え出されるバリエーションや代替は、本願の保護範囲に含まれるものとする。したがって、本願の保護範囲は請求項の保護範囲によって決められるものとする。
【符号の説明】
【０１９４】
100  携帯電話機
101  インターフェース
102  Recentキー
103  ナビゲーションバー
104  Backキー
105  Homeキー
106  マルチタスクインターフェース
107  「ダイヤルアップ」タスクウィンドウ
108  「設定」タスクウィンドウ
109  「WeChat」タスクウィンドウ
110  WeChatインターフェース
201  プロセッサ
202  高周波回路
203  メモリー
204  タッチスクリーン
204−1  タッチパッド
204−2  ディスプレイ、表示画面、ディスプレイパネル
205  Bluetooth装置
206  センサー
207  Wi−Fi装置
208  測位装置
209  オーディオ回路
210  周辺機器インターフェース
211  電源、電源装置
212  指紋認識器
213  スピーカー
214  マイクロフォン
301  破線ブロック
302  破線ブロック
303  破線ブロック
304  破線ブロック
305  破線ブロック
501  「WeChat」アプリケーションのインターフェース
502  デスクトップ
503  第1のインターフェース、「ダイヤルアップ」アプリケーションのタスクウィンドウ
504  「ダイヤルアップ」アプリケーションのタスクウィンドウ
505  「設定」アプリケーションのタスクウィンドウ
506  「WeChat」アプリケーションのタスクウィンドウ、第1のインターフェース
601  スライド進路
602  第1のインターフェース
701  第2のインターフェース
801  第1のインターフェース
802  第2のインターフェース
901  第1のインターフェース
902  「ダイヤルアップ」アプリケーションのタスクウィンドウ
903  「設定」アプリケーションのタスクウィンドウ
904  「WeChat」アプリケーションのタスクウィンドウ
1001  第1のインターフェース
1002  「設定」アプリケーションのタスクウィンドウ
1003  「ダイヤルアップ」アプリケーションのタスクウィンドウ
1004  「WeChat」アプリケーションのタスクウィンドウ
1005  閉じるボタン
1006  閉じるボタン
1007  閉じるボタン
1008  ワンキー閉じるボタン
1301  「ブラウザ」アプリケーションのインターフェース
1302  デスクトップ
1303  第1のインターフェース、ウェブページウィンドウ
1304  ウェブページウィンドウ
1305  ウェブページウィンドウ
1401  第2のインターフェース
1501  連絡先リストインターフェース
1502  連絡先リストインターフェース
1503  第1のインターフェース
1504  連絡先ウィンドウ
1505  連絡先ウィンドウ
1506  連絡先ウィンドウ
1701  第1のインターフェース
1801  第1の位置
1802  第2の位置
1901  第1の位置
1902  第2の位置
2101  「ブラウザ」アプリケーションのインターフェース
2102  デスクトップ
2103  第1のインターフェース
2200  端末
2201  検出ユニット
2202  処理ユニット
2203  表示ユニット
2300  端末
2301  処理モジュール
2302  記憶モジュール
2303  表示モジュール
2304  感知モジュール
【図１】
2020536307.tif 000003
【図２】
2020536307.tif 000004
【図３Ａ】
2020536307.tif 000005
【図３Ｂ】
2020536307.tif 000006
【図３Ｃ】
2020536307.tif 000007
【図４】
2020536307.tif 000008
【図５】
2020536307.tif 000009
【図６】
2020536307.tif 000010
【図７】
2020536307.tif 000011
【図８】
2020536307.tif 000012
【図９】
2020536307.tif 000013
【図１０】
2020536307.tif 000014
【図１１（ａ）】
2020536307.tif 000015
【図１１（ｂ）】
2020536307.tif 000016
【図１２】
2020536307.tif 000017
【図１３】
2020536307.tif 000018
【図１４】
2020536307.tif 000019
【図１５】
2020536307.tif 000020
【図１６】
2020536307.tif 000021
【図１７】
2020536307.tif 000022
【図１８】
2020536307.tif 000023
【図１９】
2020536307.tif 000024
【図２０】
2020536307.tif 000025
【図２１】
2020536307.tif 000026
【図２２】
2020536307.tif 000027
【図２３】
2020536307.tif 000028
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
端末に適用されるタスク切り替え方法であって、前記端末の側縁にセンサーが設けられており、前記センサーは前記側縁におけるユーザーの操作を検出するように構成されており、前記方法は、
前記端末により、前記側縁における前記ユーザーのプレス操作に応じて、第1のインターフェースを表示するステップであって、前記第1のインターフェースは少なくとも1つのタスクウィンドウを含み、前記少なくとも1つのタスクウィンドウは前記端末によって最近実行されて閉じられていない少なくとも1つのタスクに対応する、ステップと、
前記端末により、前記側縁における前記ユーザーのスライド操作を検出するステップであって、前記スライド操作と前記プレス操作は前記側縁から離れない前記ユーザーの指の連続操作である、ステップと、
前記端末により、前記スライド操作に応じて、第1のタスクウィンドウを予め設定された方式で表示するステップであって、前記第1のタスクウィンドウは前記少なくとも1つのタスクウィンドウのいずれか1つであり、前記少なくとも1つのタスクウィンドウが複数のタスクウィンドウを含む場合、前記スライド操作のスライド位置が変わるにつれ、前記予め設定された方式で表示される前記第1のタスクウィンドウが前記複数のタスクウィンドウの中で切り替えられる、ステップと、
前記端末により、前記スライド操作が終わることおよび前記ユーザーの前記指が前記側縁から離れることを検出したことに応じて、第2のインターフェースを表示するステップであって、前記第2のインターフェースは、前記スライド操作が終わって前記ユーザーの前記指が前記側縁から離れるときに前記端末によって前記予め設定された方式で表示される前記第1のタスクウィンドウに対応するタスクのインターフェースである、ステップとを含む、方法。
【請求項２】
前記端末によって最近実行されて閉じられていない前記少なくとも1つのタスクは、前記端末によって最近実行されて閉じられていない少なくとも1つのアプリケーションを含み、
前記第1のタスクウィンドウは、前記端末によって最近実行されて閉じられていない前記少なくとも1つのアプリケーションのいずれか1つのタスクウィンドウであり、
前記第2のインターフェースは、前記スライド操作が終わって前記ユーザーの前記指が前記側縁から離れるときに前記端末によって前記予め設定された方式で表示される前記第1のタスクウィンドウに対応するアプリケーションのインターフェースである、請求項1に記載の方法。
【請求項３】
前記端末により、前記側縁における前記ユーザーのプレス操作に応じて、第1のインターフェースを表示する前記ステップは、
前記端末によって最近実行されて閉じられていないアプリケーションが少なくとも2つある場合、前記端末により、前記側縁における前記ユーザーの前記プレス操作に応じて、前記少なくとも2つのアプリケーションのタスクウィンドウを含む前記第1のインターフェースを表示するステップを含み、
前記第1のタスクウィンドウは、前記少なくとも2つのアプリケーションのいずれか1つのタスクウィンドウであり、前記第2のインターフェースは、前記スライド操作が終わって前記ユーザーの前記指が前記側縁から離れるときに前記端末によって前記予め設定された方式で表示される前記第1のタスクウィンドウに対応するアプリケーションのインターフェースである、請求項1に記載の方法。
【請求項４】
前記端末により、前記側縁における前記ユーザーのプレス操作に応じて、第1のインターフェースを表示する前記ステップは、
前記端末によって最近実行されて閉じられていない第1のアプリケーションのみがある場合、前記端末により、前記側縁における前記ユーザーの前記プレス操作に応じて、前記第1のアプリケーションの1つ以上のアプリケーションタスクのタスクウィンドウを含む前記第1のインターフェースを表示するステップであって、前記第1のアプリケーションは前記端末内のいずれかのアプリケーションである、ステップを含み、
前記第1のタスクウィンドウは前記第1のアプリケーションのアプリケーションタスクのタスクウィンドウであり、
前記第2のインターフェースは、前記スライド操作が終わって前記ユーザーの前記指が前記側縁から離れるときに前記端末によって前記予め設定された方式で表示される前記第1のタスクウィンドウに対応するアプリケーションタスクのインターフェースである、請求項1に記載の方法。
【請求項５】
前記端末により、前記側縁における前記ユーザーのプレス操作に応じて、第1のインターフェースを表示する前記ステップは、
前記端末が前記端末のデスクトップを現在表示している場合、前記端末により、前記側縁における前記ユーザーの前記プレス操作に応じて、前記端末によって最近実行されて閉じられていない前記少なくとも1つのアプリケーションのタスクウィンドウを含む前記第1のインターフェースを表示するステップを含み、
前記第1のタスクウィンドウは、前記端末によって最近実行されて閉じられていない前記少なくとも1つのアプリケーションの前記いずれか1つの前記タスクウィンドウであり、前記第2のインターフェースは、前記スライド操作が終わって前記ユーザーの前記指が前記側縁から離れるときに前記端末によって前記予め設定された方式で表示される前記第1のタスクウィンドウに対応する前記アプリケーションの前記インターフェースである、請求項2に記載の方法。
【請求項６】
前記プレス操作は、前記側縁の第1の位置における前記ユーザーのプレス操作である、請求項1、2、または5に記載の方法。
【請求項７】
前記端末により、前記側縁における前記ユーザーのプレス操作に応じて、第1のインターフェースを表示する前記ステップは、
前記プレス操作が前記側縁の第2の位置における前記ユーザーのプレス操作である場合、前記端末により、前記側縁における前記ユーザーの前記プレス操作に応じて、第2のアプリケーションのアプリケーションタスクのタスクウィンドウを含む前記第1のインターフェースを表示するステップであって、前記第2のアプリケーションは、前記端末によって最近実行されて閉じられていない前記少なくとも1つのアプリケーションが実行時間の昇順で並べられた後の最後のアプリケーションである、ステップを含み、
前記第1のタスクウィンドウは前記第2のアプリケーションのアプリケーションタスクのタスクウィンドウであり、
前記第2のインターフェースは、前記スライド操作が終わって前記ユーザーの前記指が前記側縁から離れるときに前記端末によって前記予め設定された方式で表示される前記第1のタスクウィンドウに対応するアプリケーションタスクのインターフェースである、請求項6に記載の方法。
【請求項８】
端末であって、前記端末は、プロセッサと、メモリーと、タッチスクリーンと、前記端末の側縁に設けられたセンサーとを含んでおり、前記メモリーと前記タッチスクリーンと前記センサーは前記プロセッサに結合されており、前記メモリーはコンピュータプログラムコードを記憶するように構成されており、前記コンピュータプログラムコードはコンピュータ命令を含んでおり、前記プロセッサが前記コンピュータ命令を実行すると、
前記センサーは、前記側縁におけるユーザーのプレス操作を検出するように構成されており、
前記プロセッサは、前記端末で少なくとも1つのタスクを実行し、前記少なくとも1つのタスクのデータは前記メモリーに記憶される、ようにさらに構成されており、
前記タッチスクリーンは、前記センサーによって検出される前記プレス操作に応じて、第1のインターフェースを表示し、前記第1のインターフェースは少なくとも1つのタスクウィンドウを含み、前記少なくとも1つのタスクウィンドウは前記プロセッサによって最近実行されて閉じられていない少なくとも1つのタスクに対応する、ように構成されており、
前記センサーは、前記側縁における前記ユーザーのスライド操作を検出し、前記スライド操作と前記プレス操作は前記側縁から離れない前記ユーザーの指の連続操作である、ようにさらに構成されており、
前記タッチスクリーンは、前記センサーによって検出される前記スライド操作に応じて、第1のタスクウィンドウを予め設定された方式で表示し、前記第1のタスクウィンドウは前記少なくとも1つのタスクウィンドウのいずれか1つであり、前記少なくとも1つのタスクウィンドウが複数のタスクウィンドウを含む場合、前記スライド操作のスライド位置が変わるにつれ、前記予め設定された方式で表示される前記第1のタスクウィンドウが前記複数のタスクウィンドウの中で切り替えられる、ようにさらに構成されており、
前記センサーは、前記スライド操作が終わることおよび前記ユーザーの前記指が前記側縁から離れることを検出するようにさらに構成されており、
前記タッチスクリーンは、前記スライド操作が終わることおよび前記ユーザーの前記指が前記側縁から離れることを前記センサーによって検出したことに応じて、第2のインターフェースを表示し、前記第2のインターフェースは、前記スライド操作が終わって前記ユーザーの前記指が前記側縁から離れるときに前記タッチスクリーンによって前記予め設定された方式で表示される前記第1のタスクウィンドウに対応するタスクのインターフェースである、ようにさらに構成されている、端末。
【請求項９】
前記プロセッサによって最近実行されて閉じられていない前記少なくとも1つのタスクは、前記プロセッサによって最近実行されて閉じられていない少なくとも1つのアプリケーションを含み、
前記タッチスクリーンによって表示される前記第1のタスクウィンドウは、前記プロセッサによって最近実行されて閉じられていない前記少なくとも1つのアプリケーションのいずれか1つのタスクウィンドウであり、
前記タッチスクリーンによって表示される前記第2のインターフェースは、前記スライド操作が終わることおよび前記ユーザーの前記指が前記側縁から離れることを前記センサーが検出するときに前記タッチスクリーンによって前記予め設定された方式で表示される前記第1のタスクウィンドウに対応するアプリケーションのインターフェースである、請求項8に記載の端末。
【請求項１０】
前記タッチスクリーンは、
前記プロセッサによって最近実行されて閉じられていないアプリケーションが少なくとも2つある場合、前記センサーによって検出される前記プレス操作に応じて、前記少なくとも2つのアプリケーションのタスクウィンドウを含む前記第1のインターフェースを表示するようにさらに構成されており、
前記タッチスクリーンによって表示される前記第1のタスクウィンドウは、前記少なくとも2つのアプリケーションのいずれか1つのタスクウィンドウであり、前記タッチスクリーンによって表示される前記第2のインターフェースは、前記スライド操作が終わることおよび前記ユーザーの前記指が前記側縁から離れることを前記センサーが検出するときに前記タッチスクリーンによって前記予め設定された方式で表示される前記第1のタスクウィンドウに対応するアプリケーションのインターフェースである、請求項8に記載の端末。
【請求項１１】
前記タッチスクリーンは、
前記プロセッサによって最近実行されて閉じられていないアプリケーションが第1のアプリケーションのみを含む場合、前記センサーによって検出される前記プレス操作に応じて、前記第1のアプリケーションの1つ以上のアプリケーションタスクのタスクウィンドウを含む前記第1のインターフェースを表示し、前記第1のアプリケーションは前記端末内のいずれかのアプリケーションである、ようにさらに構成されており、
前記タッチスクリーンによって表示される前記第1のタスクウィンドウは、前記第1のアプリケーションのアプリケーションタスクのタスクウィンドウであり、前記タッチスクリーンによって表示される前記第2のインターフェースは、前記スライド操作が終わって前記ユーザーの前記指が前記側縁から離れるときに前記タッチスクリーンによって前記予め設定された方式で表示される前記第1のタスクウィンドウに対応するアプリケーションタスクのインターフェースである、請求項8に記載の端末。
【請求項１２】
前記タッチスクリーンは、
前記タッチスクリーンが前記端末のデスクトップを現在表示している場合、前記センサーによって検出される前記プレス操作に応じて、前記プロセッサによって最近実行されて閉じられていない前記少なくとも1つのアプリケーションのタスクウィンドウを含む前記第1のインターフェースを表示するようにさらに構成されており、
前記タッチスクリーンによって表示される前記第1のタスクウィンドウは、前記端末によって最近実行されて閉じられていない前記少なくとも1つのアプリケーションの前記いずれか1つの前記タスクウィンドウであり、前記タッチスクリーンによって表示される前記第2のインターフェースは、前記スライド操作が終わって前記ユーザーの前記指が前記側縁から離れるときに前記タッチスクリーンによって前記予め設定された方式で表示される前記第1のタスクウィンドウに対応する前記アプリケーションの前記インターフェースである、請求項8または9に記載の端末。
【請求項１３】
前記センサーによって検出される前記プレス操作は、前記側縁の第1の位置における前記ユーザーのプレス操作である、請求項8、9、または12に記載の端末。
【請求項１４】
前記タッチスクリーンは、
前記プレス操作が前記側縁の第2の位置における前記ユーザーのプレス操作である場合、前記センサーによって検出される前記プレス操作に応じて、第2のアプリケーションのアプリケーションタスクのタスクウィンドウを含む前記第1のインターフェースを表示し、前記第2のアプリケーションは、前記プロセッサによって最近実行されて閉じられていない前記少なくとも1つのアプリケーションが実行時間の昇順で並べられた後の最後のアプリケーションである、ようにさらに構成されており、
前記タッチスクリーンによって表示される前記第1のタスクウィンドウは、前記第2のアプリケーションのアプリケーションタスクのタスクウィンドウであり、
前記タッチスクリーンによって表示される前記第2のインターフェースは、前記スライド操作が終わって前記ユーザーの前記指が前記側縁から離れるときに前記タッチスクリーンによって前記予め設定された方式で表示される前記第1のタスクウィンドウに対応するアプリケーションタスクのインターフェースである、請求項13に記載の端末。
【請求項１５】
コンピュータ命令を含むコンピュータ記憶媒体であって、前記コンピュータ命令が端末で実行されると、前記端末は、請求項1から7のいずれか一項に記載のタスク切り替え方法を行うことが可能となる、コンピュータ記憶媒体。
【請求項１６】
コンピュータプログラムであって、前記コンピュータプログラムがコンピュータで実行されると、前記コンピュータは、請求項1から7のいずれか一項に記載のタスク切り替え方法を行うことが可能となる、コンピュータプログラム。
【国際調査報告】
2020536307.tif 000029
2020536307.tif 000030
2020536307.tif 000031
2020536307.tif 000032